(57)【特許請求の範囲】
【請求項１】
入力された原稿の画像データが、特殊原稿の画像データであるか否かを判定する機能を備える特殊原稿判定機能付き画像形成装置であって、
モノクロコピーモード、フルカラーコピーモード、および原稿がカラー原稿であるかモノクロ原稿であるかを判別し、判別結果に応じた処理を設定する自動判定モードのうちいずれか１つを指定する第１の指定手段と、
入力された原稿の画像データをカラー画像データとして保存するカラー画像データ保存モードを指定する第２の指定手段と、
画像データが、特殊原稿の画像データであるか否かを判定する特殊原稿判定手段と、
画像データがカラー原稿の画像データであるかモノクロ原稿の画像データであるかを判別する原稿判別手段と、
第１の指定手段の指定したカラーモードに基づいて、特殊原稿判定手段による特殊原稿判定動作を制御する制御手段とを備え、
制御手段は、第１の指定手段がモノクロコピーモードを指定したときであって、かつ第２の指定手段がカラー画像データ保存モードを指定したときに、特殊原稿判定手段による特殊原稿判定動作を行うように制御することを特徴とする画像形成装置。
【請求項２】
特殊原稿判定手段は、原稿判別手段による原稿判別動作が終了する前に、特殊原稿判定動作を行ない、画像データが特殊原稿の画像データであると判定した場合に、画像形成動作を中断することを特徴とする請求項１に記載の画像形成装置。
【請求項３】
入力された原稿の画像データが、特殊原稿の画像データであるか否かを判定する機能を備える特殊原稿判定機能付き画像形成装置であって、
モノクロコピーモード、フルカラーコピーモード、および原稿がカラー原稿であるかモノクロ原稿であるかを判別し、判別結果に応じた処理を設定する自動判定モードのうちいずれか１つを指定する第１の指定手段と、
入力された原稿の画像データをカラー画像データとして保存するカラー画像データ保存モードを指定する第２の指定手段と、
画像データが、特殊原稿の画像データであるか否かを判定する特殊原稿判定手段と、
画像データがカラー原稿の画像データであるかモノクロ原稿の画像データであるかを判別する原稿判別手段と、
第１の指定手段の指定したカラーモードに基づいて、特殊原稿判定手段による特殊原稿判定動作を制御する制御手段とを備え、
制御手段は、第１の指定手段がモノクロコピーモードを指定したときであって、かつ第２の指定手段がカラー画像データ保存モードを指定したときに、特殊原稿判定手段による特殊原稿判定動作を行うように制御し、
特殊原稿判定手段は、原稿判別手段による原稿判別動作が終了する前に、特殊原稿判定動作を行ない、画像データが特殊原稿の画像データであると判定した場合に、画像形成動作を中断することを特徴とする画像形成装置。
【請求項４】
制御手段は、第１の指定手段がモノクロコピーモードを指定したときであって、かつ第２の指定手段がカラー画像データ保存モードを指定していないときには、特殊原稿判定手段による特殊原稿判定動作を行わないように制御し、第１の指定手段がフルカラーコピーモードまたは自動判定モードを指定したときには特殊原稿判定手段による特殊原稿判定動作を行うように制御することを特徴とする請求項１〜３のいずれか１つに記載の画像形成装置。
【請求項５】
制御手段は、第１の指定手段がモノクロコピーモードを指定したときであって、かつ第２の指定手段がカラー画像データ保存モードを指定していないときには、特殊原稿判定手段による特殊原稿判定動作の判定精度を、第１の指定手段がフルカラーコピーモードまたは自動判定モードを指定したときの判定精度よりも、特殊原稿の検出率が低くなるように制御することを特徴とする請求項１〜３のいずれか１つに記載の画像形成装置。
【請求項６】
制御手段は、第１の指定手段がモノクロコピーモードを指定したときであって、かつ第２の指定手段がカラー画像データ保存モードを指定したときに、特殊原稿判定手段による特殊原稿判定動作の判定精度を、第１の指定手段がモノクロコピーモードを指定したときであって、かつ第２の指定手段がカラー画像データ保存モードを指定しないときの判定精度よりも特殊原稿の検出率が高くなるように制御することを特徴とする請求項１〜３のいずれか１つに記載の画像形成装置。
【発明の詳細な説明】
【技術分野】
【０００１】
本発明は、入力された画像データが、特殊原稿の画像データであるか否かを判定する機能を備える特殊原稿判定機能付き画像形成装置に関する。
【背景技術】
【０００２】
近年、カラー複写装置の性能が向上し、これにともなって、たとえば紙幣および有価証券などの特殊原稿を複写して偽造する違法複写を防止できる複写装置の必要性が高くなっている。従来の複写装置における違法複写防止に関する技術としては、原稿などの記録紙に記録される画像を画像読取装置によって読み取ることで得られた画像データと、あらかじめ複写装置に記憶される複写防止の対象となる特定画像の画像データとを比較して、読み取られた画像の画像形成を行うか否かを判断し、画像形成を行わない場合には、画像形成を中止する、または読取られた画像とは異なる画像を形成する技術がある。
【０００３】
このような従来の技術として、たとえば特許文献１では、単色コピーモード、フルカラーコピーモードを指定する操作表示部と、原稿が紙幣、有価証券などの特殊原稿であるか否かを判別する特殊原稿判別ユニットと、操作表示部を介して単色コピーモードが指定された場合、特殊原稿判別ユニットの判別制御動作を抑制するメイン制御部とを備える特殊原稿判別機能付き複写機について開示されている。
【０００４】
また特許文献２では、光電変換素子により原稿を読み取って得られた３原色のＲＧＢ信号を明度信号に変換し、明度信号からヒストグラムを作成し、このヒストグラムを基に原稿種別を判別し、その判定結果に基づいて以後の画像処理内容を切替える画像処理装置において、原稿ガラス上に積載された原稿が紙幣や有価証券などであるか否かを判断し、その結果に基づいてコピー禁止を命令する紙幣認識部を備えるものについて開示されている。
【０００５】
【特許文献１】特開平６−１１３１３４号公報
【特許文献２】特開平８−２５１４０２号公報
【発明の開示】
【発明が解決しようとする課題】
【０００６】
特許文献１に開示される複写機は、オペレータが指定したカラーモードに基づいて特殊原稿判別ユニットによる判別制御動作を制御するものであるが、このような制御は、たとえば特許文献２に開示される画像処理装置などのように、原稿の画像データがカラー原稿の画像データであるかモノクロ原稿の画像データであるかを自動的に判別する自動判定モードを備えるものにおいては、自動判定の判別結果に基づいて特殊原稿判別ユニットによる判別制御動作を制御する必要があり、処理が煩雑になり、パフォーマンスが低下してしまうという問題がある。
【０００７】
本発明の目的は、処理が煩雑にならず、パフォーマンスを低下させることなく、特殊原稿の判定動作を確実に行い、違法複写を防止することのできる画像形成装置を提供することである。
【課題を解決するための手段】
【０００８】
本発明は、入力された原稿の画像データが、特殊原稿の画像データであるか否かを判定する機能を備える特殊原稿判定機能付き画像形成装置であって、
モノクロコピーモード、フルカラーコピーモード、および原稿がカラー原稿であるかモノクロ原稿であるかを判別し、判別結果に応じた処理を設定する自動判定モードのうちいずれか１つを指定する第１の指定手段と、
入力された原稿の画像データをカラー画像データとして保存するカラー画像データ保存モードを指定する第２の指定手段と、
画像データが、特殊原稿の画像データであるか否かを判定する特殊原稿判定手段と、
画像データがカラー原稿の画像データであるかモノクロ原稿の画像データであるかを判別する原稿判別手段と、
第１の指定手段の指定したカラーモードに基づいて、特殊原稿判定手段による特殊原稿判定動作を制御する制御手段とを備え、
制御手段は、第１の指定手段がモノクロコピーモードを指定したときであって、かつ第２の指定手段がカラー画像データ保存モードを指定したときに、特殊原稿判定手段による特殊原稿判定動作を行うように制御することを特徴とする画像形成装置である。  また本発明の画像形成装置は、特殊原稿判定手段は、原稿判別手段による原稿判別動作が終了する前に、特殊原稿判定動作を行ない、画像データが特殊原稿の画像データであると判定した場合に、画像形成動作を中断することを特徴とする。
また本発明は、入力された原稿の画像データが、特殊原稿の画像データであるか否かを判定する機能を備える特殊原稿判定機能付き画像形成装置であって、
モノクロコピーモード、フルカラーコピーモード、および原稿がカラー原稿であるかモノクロ原稿であるかを判別し、判別結果に応じた処理を設定する自動判定モードのうちいずれか１つを指定する第１の指定手段と、
入力された原稿の画像データをカラー画像データとして保存するカラー画像データ保存モードを指定する第２の指定手段と、
画像データが、特殊原稿の画像データであるか否かを判定する特殊原稿判定手段と、
画像データがカラー原稿の画像データであるかモノクロ原稿の画像データであるかを判別する原稿判別手段と、
第１の指定手段の指定したカラーモードに基づいて、特殊原稿判定手段による特殊原稿判定動作を制御する制御手段とを備え、
制御手段は、第１の指定手段がモノクロコピーモードを指定したときであって、かつ第２の指定手段がカラー画像データ保存モードを指定したときに、特殊原稿判定手段による特殊原稿判定動作を行うように制御し、
特殊原稿判定手段は、原稿判別手段による原稿判別動作が終了する前に、特殊原稿判定動作を行ない、画像データが特殊原稿の画像データであると判定した場合に、画像形成動作を中断することを特徴とする画像形成装置である。
【０００９】
また本発明の画像形成装置は、制御手段は、第１の指定手段がモノクロコピーモードを指定したときであって、かつ第２の指定手段がカラー画像データ保存モードを指定していないときには、特殊原稿判定手段による特殊原稿判定動作を行わないように制御し、第１の指定手段がフルカラーコピーモードまたは自動判定モードを指定したときには特殊原稿判定手段による特殊原稿判定動作を行うように制御することを特徴とする。
【００１１】
また本発明の画像形成装置は、制御手段は、第１の指定手段がモノクロコピーモードを指定したときであって、かつ第２の指定手段がカラー画像データ保存モードを指定していないときには、特殊原稿判定手段による特殊原稿判定動作の判定精度を、第１の指定手段がフルカラーコピーモードまたは自動判定モードを指定したときの判定精度よりも、特殊原稿の検出率が低くなるように制御することを特徴とする。
【００１２】
また本発明の画像形成装置は、制御手段は、第１の指定手段がモノクロコピーモードを指定したときであって、かつ第２の指定手段がカラー画像データ保存モードを指定したときに、特殊原稿判定手段による特殊原稿判定動作の判定精度を、第１の指定手段がモノクロコピーモードを指定したときであって、かつ第２の指定手段がカラー画像データ保存モードを指定しないときの判定精度よりも特殊原稿の検出率が高くなるように制御することを特徴とする。
【発明の効果】
【００１３】
本発明によれば、入力された原稿の画像データが、紙幣や有価証券などの特殊原稿の画像データであるか否かを判定する機能を備える特殊原稿判定機能付き画像形成装置において、第１の指定手段が、モノクロコピーモード、フルカラーコピーモード、および原稿がカラー原稿であるかモノクロ原稿であるかを判別して判別結果に応じた処理を設定する自動判定モードのうちいずれか１つを指定し、特殊原稿判定手段が、画像データが、特殊原稿の画像データであるか否かを判定し、原稿判別手段が、画像データがカラー原稿の画像データであるかモノクロ原稿の画像データであるかを判別し、制御手段が、第１の指定手段の指定したカラーモードに基づいて、特殊原稿判定手段による特殊原稿判定動作を制御する。
また、本発明の画像形成装置は、入力された画像データをカラー画像データとして保存するカラー画像データ保存モードを指定する第２の指定手段を備え、制御手段は、第１の指定手段がモノクロコピーモードを指定したときであって、かつ第２の指定手段がカラー画像データ保存モードを指定したときに、特殊原稿判定手段による特殊原稿判定動作を行うように制御することが好ましい。
これにより、保存されるカラー画像データの２次利用による違法複写を防止することができ、より確実に違法複写を防止することができる。
【００１４】
そして、特殊原稿判定手段は、原稿判別手段による原稿判別動作が終了する前に、特殊原稿判定動作を行ない、画像データが特殊原稿の画像データであると判定した場合に、画像形成動作を中断する。
【００１５】
このように、処理が煩雑になり処理時間が長くなる原稿判別動作が終了する前に、特殊原稿判定手段が特殊原稿判定動作を行うことにより、画像データが特殊原稿の画像データである場合においても、原稿判別動作終了後に、再度コピー動作のために画像データを読出したり、再度原稿の読取りを行ったりすることを防ぐことができるため、パフォーマンスの低下を防ぐことができ、また処理時間を短くすることができる。
【００１６】
したがって、処理が煩雑にならず、パフォーマンスを低下させることなく、特殊原稿の判定動作を確実に行い、違法複写を防止することができる。なお、画像形成動作は、原稿判別動作を含む。
【００１７】
また本発明によれば、制御手段は、第１の指定手段がモノクロコピーモードを指定したときであって、かつ第２の指定手段がカラー画像データ保存モードを指定していないときには特殊原稿判定手段による特殊原稿判定動作を行わないように制御し、第１の指定手段がフルカラーコピーモードまたは自動判定モードを指定したときには特殊原稿判定手段による特殊原稿判定動作を行うように制御する。
【００１８】
このように、モノクロコピーモードが指定されたときであって、かつ第２の指定手段がカラー画像データ保存モードを指定していないときには違法複写の可能性が低いので、特殊原稿判定手段による特殊原稿判定動作を行わないようにすることにより、よりパフォーマンスの低下を防ぐことができ、処理時間を短くすることができる。
【００２１】
また本発明によれば、制御手段は、第１の指定手段がモノクロコピーモードを指定したときであって、かつ第２の指定手段がカラー画像データ保存モードを指定していないときには、特殊原稿判定手段による特殊原稿判定動作の判定精度を、第１の指定手段がフルカラーコピーモードまたは自動判定モードを指定したときの判定精度よりも、特殊原稿の検出率が低くなるように制御する。
【００２２】
このように、モノクロコピーモードが指定されたときであって、かつ第２の指定手段がカラー画像データ保存モードを指定していないときには違法複写の可能性が低いので、特殊原稿判定手段による特殊原稿判定動作の判定精度を、特殊原稿の検出率が低くなるようにすることにより、その代わりに特殊原稿ではない原稿を特殊原稿として誤検知する可能性を低減することができる。
【００２３】
また本発明によれば、本発明の画像形成装置の制御手段は、第１の指定手段がモノクロコピーモードを指定したときであって、かつ第２の指定手段がカラー画像データ保存モードを指定したときに、特殊原稿判定手段による特殊原稿判定動作の判定精度を、第１の指定手段がモノクロコピーモードを指定したときであって、かつ第２の指定手段がカラー画像データ保存モードを指定しないときの判定精度よりも特殊原稿の検出率が高くなるように制御することが好ましい。
【００２４】
これにより、保存されるカラー画像データの２次利用による違法複写を防止することができ、より確実に違法複写を防止することができる。
【発明を実施するための最良の形態】
【００２５】
本発明の画像形成装置は、入力された原稿の画像データが、紙幣や有価証券などの特殊原稿の画像データであるか否かを判定する機能を備える特殊原稿判定機能付き画像形成装置であって、モノクロコピーモード、フルカラーコピーモード、および原稿がカラー原稿であるかモノクロ原稿であるかを判別し、判別結果に応じた処理を設定する自動判定モードを含むカラーモードうちいずれか１つを指定する第１の指定手段と、画像データが、特殊原稿の画像データであるか否かを判定する特殊原稿判定手段と、画像データがカラー原稿の画像データであるかモノクロ原稿の画像データであるかを判別する原稿判別手段と、第１の指定手段の指定したカラーモードに基づいて、特殊原稿判定手段による特殊原稿判定動作を制御する制御手段とを備える。
【００２６】
そして、特殊原稿判定手段は、原稿判別手段による原稿判別動作が終了する前に、特殊原稿判定動作を行ない、画像データが特殊原稿の画像データであると判定した場合に、画像形成動作を中断する。
【００２７】
一般的に、原稿がカラー原稿であるかモノクロ原稿であるかを判別するには、一部分だけがカラー原稿である原稿を間違ってモノクロ原稿であると判定してしまうことを防ぐために、原稿をスキャナ装置などにより全て読取った後に原稿判別動作が行われる。また、画像データをＨＤＤ（Hard Disk Drive）や半導体メモリなどの記憶部に格納しておき、原稿判別動作終了後に、再度コピー動作のために読出すか、あるいは再度原稿の読取りを行う必要があるため、判別動作には長時間を要してしまい、また処理が煩雑になってしまう。
【００２８】
本発明の画像形成装置は、上述のように処理が煩雑になり処理時間が長くなる原稿判別動作が終了する前に、特殊原稿判定手段が特殊原稿判定動作を行うことにより、画像データが特殊原稿の画像データである場合においても、原稿判別動作終了後に、再度コピー動作のために画像データを読出したり、再度原稿の読取りを行ったりすることを防ぐことができるため、パフォーマンスの低下を防ぐことができ、また処理時間を短くすることができる。
【００２９】
したがって、処理が煩雑にならず、パフォーマンスを低下させることなく、特殊原稿の判定動作を確実に行い、違法複写を防止することができる。
【００３０】
（第１の実施形態）
図１は、本発明の第１の実施形態である画像形成装置１０の構成を示すブロック図であり、図２は、画像形成装置１０を含むネットワーク３０の構成を示す模式図であり、図３は、目標画像部５０が含まれる画像データ５１が読取られる原稿５２を示す平面図である。
【００３１】
画像形成装置１０は、図１に示すように、モノクロコピーモード、フルカラーコピーモード、および原稿５２がカラー原稿であるかモノクロ原稿であるかを自動的に判別し、判別結果に応じた処理を設定する自動判定モードを含むカラーモードのうちいずれか１つを指定するカラーモードキーを備える操作部１１と、画像データ５１が、特殊原稿の画像データであるか否かを判定する特殊原稿判定部１２と、画像データ５１がカラー原稿の画像データであるかモノクロ原稿の画像データであるかを判別するカラーモノクロ判別部１３２を備える画像処理部（以後「ＩＣＵ（image Control Unit）」と略して記す場合がある）１３と、カラーモードキー１１１の指定したカラーモードに基づいて、特殊原稿判定部１２による特殊原稿判定動作を制御するＣＰＵ(Central Processing Unit)１４１を備えるカラースキャナ装置１４とを備える。また、画像データ５１を記録紙に印字する印字部１５と、印字部１５の動作を制御するプリンタ制御部（以後「ＰＣＵ（Printer Control Unit）」と略して記す場合がある）１６とをさらに備える。
【００３２】
画像形成装置１０は、図２に示すように、カラースキャナ１４で読取った画像データ、デジタルカメラ３１で撮影した画像データ、ならびにインターネットなどのコンピュータネットワークを介して入手してパーソナルコンピュータ（以後「ＰＣ」と略して記す）３２およびノート型パーソナルコンピュータ（以後「ノートＰＣ」と略して記す）３３に記憶される画像データなどが入力され、入力された画像データが、紙幣や有価証券などの特殊原稿の画像データであるか否かを判定する機能を備える特殊原稿判定機能付き画像形成装置である。
【００３３】
操作部１１は、画像形成装置１０の動作を操作するための操作手段であり、各種機能を設定または選択するファンクションキーなどのキーを備える。図４は、本発明の第１の実施形態である画像形成装置１０における操作部１１の構成の一例を示す概略図である。操作部１１は、ファンクションキーとして、モノクロコピーモード、フルカラーコピーモードおよび自動判定モードを含むカラーモードのうちいずれか１つを指定するカラーモードキー１１１を備える。カラーモードキー１１１によるカラーモードの選択は、オペレータがカラーモードキー１１１をタッチすることにより行う。図４に示すように、カラーモードキー１１１における表示が「自動」となっている場合は、自動判定モードが指定されている状態である。モノクロコピーモードが選択されている状態では、カラーモードキー１１１における表示は「モノクロ」となり、フルカラーコピーモードが選択されている状態では、カラーモードキー１１１における表示は「フルカラー」となる。カラーモードキー１１１は第１の指定手段に相当する。
【００３４】
また、操作部１１は、ファンクションキーとして、印字動作の開始を指示するスタートキー１１２や、画像データ５１の印字倍率を指定する倍率指定キー１１３なども備える。
【００３５】
操作部１１は、オペレータがキー操作を実行すると、そのキー操作に対応するキー操作検出信号を画像処理部（ＩＣＵ）１３や、カラースキャナ装置１４やプリンタ制御部（ＰＣＵ）１６などに入力する。カラースキャナ装置１４、画像処理部（ＩＣＵ）１３およびプリンタ制御部（ＰＣＵ）１６は、入力されたキー操作検出信号を識別し、識別結果に応じた所定の画像処理動作や印字動作などを実行する。
【００３６】
特殊原稿判定部１２は、入力された画像データ５１が、特殊原稿の画像データであるか否かを判定する特殊原稿判定手段であり、前処理部１２１、画像判定部１２２、画像確認部１２３および記憶部１２４を含んで構成される。
【００３７】
前処理部１２１は、カラースキャナ装置１４ならびにネットワーク３０を介して画像形成装置１０に接続されるデジタルカメラ３１、ＰＣ３２およびノートＰＣ３３から入力される画像データ５１を、たとえば解像度を１００ｄｐｉ以上２００ｄｐｉ以下程度にするとともに、所定のしきい値に基いて階調を２階調、たとえば色数を白および黒の２色とするようにして、情報量の少ない画像データ５１に変換して、画像判定部１２２に与える。
【００３８】
このように、印字部１５での画像形成に用いられる画像データ５１を、目標画像部５０を抽出するために情報量の少ない画像データ５１に変換することにより、画像判定部１２２での判定処理および画像確認部１２３での確認処理を迅速に行うことができる。また画像データ５１の情報量が少なくなるので、目標画像部５０を抽出するために画像データ５１を記憶させておく記憶部１２４の容量を小さくすることができる。
【００３９】
記憶部１２４は、たとえばＲＡＭ（Random Access Memory）およびＲＯＭ（Read Only Memory）などにより構成される記憶手段であり、前処理部１２１によって情報量が少なくなるように変換された画像データ５１、目標画像部５０、特定画像部分５３、テンプレート５４、判定ウインドウ５５、第１のテーブルデータおよび第２のテーブルデータを記憶する。
【００４０】
以下、図５〜図７を用いて、記憶部１２４に記憶される目標画像部５０、特定画像部分５３、テンプレート５４、判定ウインドウ５５、第１のテーブルデータおよび第２のテーブルデータについて説明する。図５および図６は、目標画像部５０、特定画像部分５３、テンプレート５４、判定ウインドウ５５および第１のテーブルデータについて説明するための平面図であり、図７は、第２のテーブルデータについて説明するための平面図である。
【００４１】
目標画像部５０とは、画像データ５１の中で、特殊原稿であると特定しやすい一部分の画像データを示し、たとえば画像データ５１が紙幣の画像データであるときは、紙幣に記録されている印章の部分の画像データなどを示す。特定画像部分５３とは、目標画像部５０の特徴を最も顕著に示す部分の画像データを示し、たとえば画像データ５１が紙幣の画像データであるときは、紙幣に記録されている印章の円周の一部である円弧の画像データなどを示す。
【００４２】
図５（ａ）は、本実施形態における目標画像部５０および特定画像部分５３を示す平面図であり、図５（ｂ）は、特定画像部分５３を用いて目標画像部候補５６の形状を推測する方法を示す平面図である。本実施形態では、図３に示すように、画像データ５１は機密書類である原稿５２の画像データであり、目標画像部５０は円の中に「秘」の文字が描かれる印章の部分の画像データである。また特定画像部分５３は、図５（ａ）に示すように、目標画像部５０の円弧の画像データである。たとえば、図５（ｂ）に示すように、目標画像部５０の円の半径がｎ［ｍｍ］である場合に、特定画像部分５３と同じ曲率半径ｎ［ｍｍ］を有する円弧を含む画像データである目標画像部候補５６は、半径ｎ［ｍｍ］の円を有する画像データであると容易に推測できる。したがって、目標画像部５０の一部である円弧を特定画像部分５３とすることによって、目標画像部候補５６は目標画像部５０である可能性が高いと判断することができる。
【００４３】
テンプレート５４とは、特定画像部分５３を表す画素群である。図６（ａ）は、テンプレート５４ならびに主走査方向Ａおよび副走査方向Ｂを示す平面図であり、図６（ｂ）は、テンプレート５４を拡大して示す平面図であり、図６（ｃ）は、テンプレート５４の各画素ラインにおける領域を示す平面図である。
【００４４】
テンプレート５４は、前処理部１２１によって変換された画像データ５１と同じ解像度および階調であって、図６（ａ）および（ｂ）に示すように、主走査方向Ａに複数の、本実施形態では４２個の画素が並ぶ画素ラインを副走査方向Ｂに２つ以上、本実施形態では６個隣接して並べた、黒色および白色の画素で構成される画素群を有し、その画素群の各画素毎の情報によって特定画像部分５３を表す。判定ウインドウ５５とは、テンプレート５４と同様に並ぶ画素群のことである。
【００４５】
より詳細に述べると、テンプレート５４は、図６（ｂ）に示すように、それぞれ主走査方向Ａに並ぶ４２個の画素を有し、副走査方向Ｂに隣接して並ぶ第１画素ライン６１、第２画素ライン６２、第３画素ライン６３、第４画素ライン６４、第５画素ライン６５および第６画素ライン６６を含んで構成される。また判定ウインドウ５５も、テンプレート５４の第１画素ライン〜第６画素ライン６１〜６６にそれぞれ対応する、同様の第１画素ライン、第２画素ライン、第３画素ライン、第４画素ライン、第５画素ラインおよび第６画素ラインを含んで構成される。さらに図６（ｃ）に示すように、テンプレート５４の第１画素ライン〜第６画素ライン６１〜６６は、各画素ライン６１〜６６における黒色の画素数の配列状態に応じて、複数の画素を有する第１領域６１ａ〜６６ａ、第２領域６１ｂ〜６６ｂおよび第３領域６１ｃ〜６６ｃの３種類の領域に分割され、領域毎に各領域に含まれる黒色の画素数の範囲が設定される。なお、特定画像部分５３が存在する領域は黒色の画素で構成されるものとする。
【００４６】
各画素ライン６１〜６６における第１領域〜第３領域の黒色の画素数の範囲は以下のようにして設定する。たとえば、第１画素ライン６１の第１領域６１ａのように、特定画像部分５３である円弧上に存在する領域では、円弧上に存在しない領域に比べて黒色である画素の数が多くなるので、黒色の画素数が多くなるように画素数の範囲を設定する。一方、第１画素ライン６１の第３領域６１ｃのように、円弧から充分に離れている領域では、黒色の画素数を０に近い範囲に設定する。したがって、第１画素ライン６１の第２領域６１ｂのように、円弧の近傍に存在する領域では、第１領域６１ａよりも黒色の画素数が少なく、かつ０よりも多くなるように画素数の範囲を設定する。このようにしてテンプレート５４の各画素ライン６１〜６６に対する、第１〜第３領域の黒色の画素数の範囲が、表１に示すように設定され、これらの設定値は、第１のテーブルデータとして記憶部１２４に記憶される。
【００４７】
【表１】
0004758402.tif 000002
【００４８】
図７（ａ）は、複数の分割部分に分割された目標画像部５０の一例を示す平面図である。目標画像部５０は、その円の中心を共通の中心とする３つの円の円周によって、第１分割部分７１、第２分割部分７２、第３分割部分７３および第４分割部分７４の４つに分割される。そして、それぞれの分割部分７１〜７４に含まれる黒色の画素数の範囲が、表２に示されるように設定され、これらの設定値は、第２のテーブルデータとして記憶部１２４に記憶される。
【００４９】
【表２】
0004758402.tif 000003
【００５０】
なお、上記構成では目標画像部５０を円の中心を共通の中心とする３つの円の円周によって分割したが、これに限定されるものではなく、たとえば図７（ｂ）に示すように、各分割部分における黒色の画素数が平均的、すなわち大略的に同数になるように、目標画像部５０の円の中心を通り、互いに直交する２本の線分によって、第１分割部分７１Ａ、第２分割部分７２Ａ、第３分割部分７３Ａおよび第４分割部分７４Ａの４つに分割してもよい。
【００５１】
画像判定部１２２は、目標画像部５０が有する一部の特定画像部分５３が画像データ５１中に含まれるか否かを判定する特定画像部分判定手段である。画像確認部１２３は、画像判定部１２２によって画像データ５１中に特定画像部分５３が含まれると判定されたとき、その特定画像部分５３を含む目標画像部候補５６が目標画像部５０であるか否かを確認する確認手段である。
【００５２】
以下に、特殊原稿判定部１２の動作を説明しながら、画像データ５１が特殊原稿の画像データであるか否かを判定する特殊原稿判定方法について述べる。
【００５３】
前処理部１２１は、カラースキャナ装置１４、デジタルカメラ３１、ＰＣ３２およびノートＰＣ３３などから入力される画像データ５１を、たとえば、解像度２００ｄｐｉ、色数が白および黒の２色である２階調となるように変換して情報量の少ない画像データ５１とし、画像判定部１２２に与える。
【００５４】
画像判定部１２２は、前処理部１２１によって変換された画像データ５１中に、特定画像部分５３が含まれるか否かを判定する。すなわち、画像判定部１２２は、画像データ５１を、判定ウインドウ５５で主走査方向Ａに１画素単位で移動させて走査し、主走査方向Ａの操作が終わると、判定ウインドウ５５を副走査方向Ｂに１画素単位で移動させた後、さらに主走査方向Ａに移動させて走査する。このような判定ウインドウ５５の移動による走査を繰返して、画像データ５１全体を走査しながら、判定ウインドウ５５の各領域における特定色、たとえば黒色の画素数と、第１のテーブルデータとして記憶されるテンプレート５４の各領域の黒色の画素数とを比較して、特定画像部分５３が画像データ５１中に含まれるか否かを判定する。
【００５５】
具体的には、画像判定部１２２は、判定ウインドウ５５の第１画素ラインを、それに対応するテンプレート５４の第１画素ライン６１と同様にして第１領域、第２領域および第３領域に分割し、判定ウィンドウ５５の第１画素ラインの第１領域〜第３領域における黒色の画素数が、第１のテーブルデータとして記憶されるテンプレート５４の第１画素ライン６１の第１領域６１ａ、第２領域６１ｂおよび第３領域６１ｃにおける黒色の画素数の範囲内であるか否かを判断する。
【００５６】
さらに画像判定部１２２は同様に、判定ウィンドウ５５の第２画素ライン〜第６画素ラインの第１領域〜第３領域における黒色の画素数が、テンプレート５４の第２画素ライン〜第６画素ライン６２〜６６の第１領域〜第３領域における黒色の画素数の範囲内であるか否かを判断する。
【００５７】
このようにして画像判定部１２２は、判定ウインドウ５５の第１画素ライン〜第６画素ラインの第１領域〜第３領域におけるすべての黒色の画素数が、第１のテーブルデータとして記憶されるテンプレート５４の各領域の黒色の画素数の範囲内であれば、特定画像部分５３が画像データ５１中に含まれると判定する。
【００５８】
一方、判定ウインドウ５５の第１画素ライン〜第６画素ラインの第１領域〜第３領域における黒色の画素数において、第１のテーブルデータとして記憶されるテンプレート５４の各領域の黒色の画素数の範囲内でないものがあれば、特定画像部分５３が画像データ５１中に含まれないと判定する。すなわち画像データ５１は、特殊原稿の画像データではないと判定され、特殊原稿判定動作は終了する。
【００５９】
このように画像判定部１２２は、判定ウインドウ５５の各画素ラインの各領域におけるすべての黒色の画素数があらかじめ定める範囲内にあるとき、特定画像部分５３が画像データ５１中に含まれると判定する。これによって、たとえば目標画像部５０に、にじみ、かすれ、ふとりおよびずれが生じて、画像データ５１を判定ウインドウ５５で走査したときの特定画像部分５３の黒色の画素数が、にじみ、かすれ、ふとりおよびずれのない場合の目標画像部５０における特定画像部分５３の画素数と多少異なっていても、特定画像部分５３が画像データ５１中に含まれるか否かの判定を、高精度に行うことができる。
【００６０】
また各画素ラインを分割した各領域における黒色の画素数に範囲を設けることによって、判定処理を迅速に行うことができる。さらに判定ウインドウ５５を用いて画像データ５１を走査することによって、画像データ５１全体を一括して走査する場合に比べて、１回の判定処理に用いる画素数が少ないので、判定処理を迅速に行うことができるとともに、画像データ５１における個々の画素に基いて画像データ５１を走査する場合に比べて、隣接する画素同士の関連性をも考慮して走査して判定するので、判定精度を向上することができる。
【００６１】
上述のようにして画像判定部１２２による特定画像部分判定動作が行われ、特定画像部分５３が画像データ５１中に含まれると判断されると、特定画像部分５３である円弧を含む目標画像部候補５６が設定される。このとき目標画像部候補５６は、円である。
【００６２】
画像確認部１２３は、画像データ５１中に特定画像部分５３が含まれると判定されたとき、その特定画像部分５３を含む目標画像部候補５６が目標画像部５０であるか否かを確認する。すなわち、画像確認部１２３は、目標画像部候補５６を、図７（ａ）に示す目標画像部５０と同様に、目標画像部候補５６の中心を共通の中心とする３つの円の円周によって、第１分割部分〜第４分割部分の４つの分割部分に分割し、目標画像部候補５６の第１分割部分における黒色の画素数が、第２のテーブルデータとして記憶される目標画像部５０の第１分割部分７１における黒色の画素数の範囲内であるか否かを判断する。さらに画像確認部１２３は、目標画像部候補５６の第２分割部分〜第４分割部分における黒色の画素数が、第２のテーブルデータとして記憶される目標画像部５０の第２分割部分〜第４分割部分７２〜７４における黒色の画素数の範囲内であるか否かを判断する。
【００６３】
このようにして画像確認部１２３は、目標画像部候補５６の第１分割部分〜第４分割部分におけるすべての黒色の画素数が、第２のテーブルデータとして記憶される黒色の画素数の範囲内であれば、目標画像部候補５６は目標画像部５０であると確認する。すなわち画像データ５１は、特殊原稿の画像データであると判定され、特殊原稿判定動作は終了する。
【００６４】
一方、目標画像部候補５６の第１部分〜第４分割部分における黒色の画素数において、第２のテーブルデータとして記憶される黒色の画素数の範囲内でないものがあれば、目標画像部候補５６は目標画像部５０でないと確認する。すなわち画像データ５１は、特殊原稿の画像データではないと判定され、特殊原稿判定動作は終了する。
【００６５】
上述のようにして特殊原稿判定部１２は、画像データ５１中に目標画像部５０が含まれる可能性があるか否かの判定を、画像データ５１中に特定画像部分５３が含まれるか否かという判定によって行うので、目標画像部５０全体に基いて判定する場合に比べて扱う情報量が少なく、判定を迅速に行うことができる。また扱う情報量が少ないので、このような判定動作を行うための回路構成を簡略化できるとともに、情報を記憶させるための記憶部１２４の容量を小さくすることができる。
【００６６】
また画像確認部１２３は、画像判定部１２２によって画像データ５１中に特定画像部分５３が含まれると判定されたとき、特定画像部分５３を含む目標画像部候補５６が目標画像部５０であるか否かを確認するので、特殊原稿判定部１２は、特殊原稿判定動作を高精度に行うことができる。
【００６７】
本実施の形態の画像処理装置１０において、目標画像部５０は、図５（ａ）に示すような、円の中に「秘」の文字が描かれる印章であるとしたが、これに限定されるものではない。
【００６８】
画像処理部（ＩＣＵ）１３は、カラースキャナ装置１４、デジタルカメラ３１、ＰＣ３２およびノートＰＣ３３などから入力される画像データ５１を、印字部１５によって記録紙に画像形成されるのに適するように、色補正や下地調整などの所定の画像処理を施す画像処理手段であり、ＨＤＤ１３１と、カラーモノクロ判別部１３２とを備える。
【００６９】
ＨＤＤ１３１は、ハードディスク（以下、「ＨＤ」と記す場合がある）を内蔵しており、カラースキャナ装置１４、デジタルカメラ３１、ＰＣ３２およびノートＰＣ３３などから入力される画像データ５１をファイル単位でＨＤに記録する。通常ＨＤＤ１３１に記録された画像データ５１は印字後に消去されるが、操作部１１のキー操作により画像データ５１を保存するように指定されているときは、消去されることなくＨＤＤ１３１に保存される。
【００７０】
カラーモノクロ判別部１３２は、ＨＤＤ１３１に記録された画像データ５１を読出して、読出した画像データ５１がカラー原稿の画像データであるかモノクロ原稿の画像データであるかを判別する原稿判別手段である。カラーモノクロ判別部１３２による原稿の判別方法としては、特に限定されるものではなく公知の方法を用いればよいが、たとえば、カラースキャナ装置１４により原稿５２の画像を読み取ることにより得られた３原色のＲＧＢ信号を明度信号に変換し、変換した明度信号をもとに作製されたヒストグラムに基づいて判別する方法などが挙げられる。
【００７１】
カラースキャナ装置１４は、原稿画像を読取って、画像データ５１を作成する原稿読取手段である。カラースキャナ装置１４は、原稿５２に光を照射して、第１方向である主走査方向Ａに複数個並ぶ光電変換素子（略称：ＣＣＤ）を有するスキャナヘッド（図示せず）を、前記主走査方向Ａに対して垂直に交差する第２方向である副走査方向Ｂに変位させながら、原稿５２からの反射光を電気信号に変換することで、原稿画像を読取ってデジタル化する。カラースキャナ装置１４によって読取られた画像データ５１は、特殊原稿判定部１２、画像処理部（ＩＣＵ）１３のＨＤＤ１３１に入力される。また、ネットワーク３０を介して画像形成装置１０に接続されるＰＣ３２およびノートＰＣ３３に与えられる場合もある。
【００７２】
カラースキャナ装置１４は、ＣＰＵ（Cenral Processing Unit）１４１を備える。ＣＰＵ１４１は、マイクロコンピュータを主体として構成されており、画像形成装置１０を構成する各構成部の動作を制御する制御手段である。
【００７３】
カラースキャナ装置１４の光学解像度および出力階調は特に限定されるものではないが、本実施形態においては、カラースキャナ装置１４の主走査方向Ａおよび副走査方向Ｂの光学解像度は６００ｄｐｉであり、出力階調はＲＧＢ各色２５６階調の１６７７７２１６階調（色数）である。
【００７４】
印字部１５は、画像処理部（ＩＣＵ）１３によって画像処理が施された画像データ５１を記録紙に印字する画像形成手段である。印字部１５としては、公知のプリンタ装置であればよく特に限定されるものではないが、たとえば複数色のインクをノズルから噴射することで、記録紙に画像を形成するインクジェット方式のプリンタ装置などによって実現される。
【００７５】
プリンタ制御部（ＰＣＵ）１６は、印字部１５の動作を制御する印字部制御手段である。プリンタ制御部（ＰＣＵ）１６は、たとえば、画像データ５１の記録紙への印字開始動作および印字停止動作の制御や、画像データ５１にノイズを付加した画像を印字させる制御などを行う。
【００７６】
（モノクロコピーモードが指定されたときの動作）
以下に、オペレータによるカラーモードキー１１１の操作により、モノクロコピーモードが指定されたときの画像形成装置１０の動作について説明する。
【００７７】
画像形成装置１０において、たとえばオペレータなどによりカラースキャナ装置１４に原稿５２が設置され、操作部１１のスタートキー１１２が押下されると、カラースキャナ装置１４に備えられるＣＰＵ１４１は、カラースキャナ装置１４に原稿５２の読取りを開始させる。
【００７８】
原稿５２の読取が開始されると、ＣＰＵ１４１は、操作部１１のカラーモードキー１１１により指定されたカラーモードが、モノクロコピーモードであるか否かを判断する。この場合、指定されたカラーモードはモノクロコピーモードであると判断され、ＣＰＵ１４１は、特殊原稿判定部１２が特殊原稿判定動作を行わないように制御する。
【００７９】
ＣＰＵ１４１によって特殊原稿判定動作が制御されると、画像処理部（ＩＣＵ）１３は特殊原稿検知コマンドを受信したか否かを判断する。この場合、特殊原稿判定動作が行われていないので、画像処理部（ＩＣＵ）１３は特殊検知コマンドを受信していないと判断する。そして、画像処理部（ＩＣＵ）１３に記録された画像データ５１を読出し、読出した画像データ５１をカラーモノクロ判別部１３２に入力する。
【００８０】
カラーモノクロ判別部１３２は、画像データ５１がカラー原稿の画像データであるかモノクロ原稿の画像データであるかを判別する。この場合、操作部１１のカラーモードキー１１１によりモノクロコピーモードが指定されているので、画像データ５１はモノクロ原稿の画像データであると判別され、画像処理部（ＩＣＵ）１３によりモノクロ原稿の画像データに応じた画像処理が施される。そして印字部１５は、画像処理部（ＩＣＵ）１３により画像処理が施された画像データ５１を記録紙に印字する。
【００８１】
（フルカラーコピーモードが指定されたときの動作）
次いで、オペレータによるカラーモードキー１１１の操作により、フルカラーコピーモードが指定されたときの画像形成装置１０の動作について説明する。
【００８２】
画像形成装置１０において、たとえばオペレータなどによりカラースキャナ装置１４に原稿５２が設置され、操作部１１のスタートキー１１２が押下されると、カラースキャナ装置１４に備えられるＣＰＵ１４１は、カラースキャナ装置１４に原稿５２の読取りを開始させる。
【００８３】
原稿５２の読取が開始されると、ＣＰＵ１４１は、操作部１１のカラーモードキー１１１により指定されたカラーモードが、モノクロコピーモードであるか否かを判断する。この場合、指定されたカラーモードはフルカラーコピーモードであるので、モノクロコピーモードではないと判断され、ＣＰＵ１４１は、特殊原稿判定部１２が特殊原稿判定動作を行うように制御する。これにより、特殊原稿判定部１２は特殊原稿判定動作を開始し、上述した特殊原稿判定方法によって画像データ５１が特殊原稿の画像データであるか否かを判定する。
【００８４】
そして、画像データ５１が特殊原稿の画像データであると判定された場合、すなわち画像データ５１の目標画像部候補５６が目標画像部５０であると判定された場合には、特殊原稿判定部１２はＣＰＵ１４１に、原稿が特殊原稿である可能性が高いことを通知する特殊原稿検知信号を送信し、特殊原稿検知信号を受信したＣＰＵ１４１は、カラースキャナ装置１４による原稿の読取動作を停止させ、これに同期して画像処理部（ＩＣＵ）１３に特殊原稿検知コマンドを送信する。なお、カラースキャナ装置１４による原稿の読取動作の停止は、スキャナヘッドの動作は停止させずに画像データ５１の読取りのみを停止させるようにして行われる。
【００８５】
一方、画像データ５１が特殊原稿の画像データではないと判定された場合、すなわち画像データ５１の目標画像部候補５６が目標画像部５０ではないと判定された場合には、特殊原稿判定部１２はＣＰＵ１４１に、特殊原稿検知信号を送信しない。
【００８６】
特殊原稿判定部１２による特殊原稿判定動作が終了すると、画像処理部（ＩＣＵ）１３は特殊原稿検知コマンドを受信したか否かを判断する。そして、特殊原稿検知コマンドを受信したと判断した場合には、画像処理部（ＩＣＵ）１３に備えられるＨＤＤ１３１に記録される画像データ５１を消去し、画像処理部（ＩＣＵ）１３によるすべての画像処理動作を停止させる。このとき、印字部１５による印字動作が開始されている場合には、プリンタ制御部（ＰＣＵ）１６は、印字動作のみを停止して記録紙を白紙のまま出紙させる制御、記録紙の給紙をキャンセルさせる制御、画像データ５１にノイズを付加した画像を印字させる制御のうちいずれかの制御を行う。
【００８７】
一方、特殊検知コマンドを受信していないと判断した場合には、画像処理部（ＩＣＵ）１３に記録された画像データ５１を読出し、読出した画像データ５１をカラーモノクロ判別部１３２に入力する。
【００８８】
カラーモノクロ判別部１３２は、画像データ５１がカラー原稿の画像データであるかモノクロ原稿の画像データであるかを判別する。この場合、操作部１１のカラーモードキー１１１によりフルカラーコピーモードが指定されているので、画像データ５１はカラー原稿の画像データであると判別され、画像処理部（ＩＣＵ）１３によりカラー原稿の画像データに応じた画像処理が施される。そして印字部１５は、画像処理部（ＩＣＵ）１３により画像処理が施された画像データ５１を記録紙に印字する。
【００８９】
（自動判定モードが指定されたときの動作）
次いで、オペレータによるカラーモードキー１１１の操作により、自動判定モードが指定されたときの画像形成装置１０の動作について説明する。
【００９０】
画像形成装置１０において、たとえばオペレータなどによりカラースキャナ装置１４に原稿５２が設置され、操作部１１のスタートキー１１２が押下されると、カラースキャナ装置１４に備えられるＣＰＵ１４１は、カラースキャナ装置１４に原稿５２の読取りを開始させる。
【００９１】
原稿５２の読取が開始されると、ＣＰＵ１４１は、操作部１１のカラーモードキー１１１により指定されたカラーモードが、モノクロコピーモードであるか否かを判断する。この場合、指定されたカラーモードは自動判定モードであるので、モノクロコピーモードではないと判断され、ＣＰＵ１４１は、特殊原稿判定部１２が特殊原稿判定動作を行うように制御する。これにより、特殊原稿判定部１２は特殊原稿判定動作を開始し、上述した特殊原稿判定方法によって画像データ５１が特殊原稿の画像データであるか否かを判定する。
【００９２】
そして、画像データ５１が特殊原稿の画像データであると判定された場合、すなわち画像データ５１の目標画像部候補５６が目標画像部５０であると判定された場合には、特殊原稿判定部１２はＣＰＵ１４１に、原稿が特殊原稿である可能性が高いことを通知する特殊原稿検知信号を送信し、特殊原稿検知信号を受信したＣＰＵ１４１は、カラースキャナ装置１４による原稿５２の読取動作を停止させ、これに同期して画像処理部（ＩＣＵ）１３に特殊原稿検知コマンドを送信する。
【００９３】
一方、画像データ５１が特殊原稿の画像データではないと判定された場合、すなわち画像データ５１の目標画像部候補５６が目標画像部５０ではないと判定された場合には、特殊原稿判定部１２はＣＰＵ１４１に、特殊原稿検知信号を送信しない。
【００９４】
特殊原稿判定部１２による特殊原稿判定動作が終了すると、画像処理部（ＩＣＵ）１３は特殊原稿検知コマンドを受信したか否かを判断する。そして、特殊原稿検知コマンドを受信したと判断した場合には、画像処理部（ＩＣＵ）１３に備えられるＨＤＤ１３１に記録される画像データ５１を消去し、画像処理部（ＩＣＵ）１３によるすべての画像処理動作を停止させる。このとき、印字部１５による印字動作が開始されている場合には、プリンタ制御部（ＰＣＵ）１６は、印字動作のみを停止して記録紙を白紙のまま出紙させる制御、記録紙の給紙をキャンセルさせる制御、画像データ５１にノイズを付加した画像を印字させる制御のうちいずれかの制御を行う。
【００９５】
一方、特殊検知コマンドを受信していないと判断した場合には、画像処理部（ＩＣＵ）１３に記録された画像データ５１を読出し、読出した画像データ５１をカラーモノクロ判別部１３２に入力する。
【００９６】
カラーモノクロ判別部１３２は、画像データ５１がカラー原稿の画像データであるかモノクロ原稿の画像データであるかを判別する。この場合、操作部１１のカラーモードキー１１１により自動判定モードが指定されているので、カラーモノクロ判別部１３２は、画像データ５１がカラー原稿の画像データであるかモノクロ原稿の画像データであるかを自動的に判別する。そして、画像データ５１はモノクロ原稿の画像データであると判別された場合には、画像処理部（ＩＣＵ）１３によりモノクロ原稿の画像データに応じた画像処理が施される。一方、画像データ５１はカラー原稿の画像データであると判別された場合には、画像処理部（ＩＣＵ）１３によりカラー原稿の画像データに応じた画像処理が施される。そして印字部１５は、画像処理部（ＩＣＵ）１３により画像処理が施された画像データ５１を記録紙に印字する。
【００９７】
以下に、図８を用いて、本発明の第１の実施形態である画像形成装置１０の動作手順の一例について説明する。図８は、本発明の第１の実施形態である画像形成装置１０の動作手順の一例を示すフロー図である。
【００９８】
画像形成装置１０において、オペレータが、カラースキャナ装置１４に原稿を設置し、操作部１１のスタートキー１１２を押下すると、ステップＳ１０からステップＳ１１に移行し、ステップＳ１０からステップＳ２４までの一連の画像形成動作が開始される。
【００９９】
ステップＳ１１では、カラースキャナ装置１４に備えられるＣＰＵ１４１は、カラースキャナ装置１４に原稿５２の読取りを開始させる。原稿５２の読取が開始されると、ステップＳ１２に移行する。
【０１００】
ステップＳ１２では、ＣＰＵ１４１は、操作部１１のカラーモードキー１１１により指定されたカラーモードが、モノクロコピーモードであるか否かを判断する。そして、指定されたカラーモードがモノクロコピーモードであると判断された場合には、ステップＳ１３に移行する。一方、指定されたカラーモードがフルカラーコピーモードまたは自動判定モードであって、モノクロコピーモードではないと判断された場合には、ステップＳ１４に移行する。
【０１０１】
ステップＳ１３では、ＣＰＵ１４１は、特殊原稿判定部１２が特殊原稿判定動作を行わないように制御し、ステップＳ１７に移行する。
【０１０２】
ステップＳ１４では、ＣＰＵ１４１は、特殊原稿判定部１２が特殊原稿判定動作を行うように制御し、ステップＳ１５に移行する。
【０１０３】
ステップＳ１５では、特殊原稿判定部１２は、画像データ５２が特殊原稿の画像データであるか否かを判定する。そして、画像データ５２が特殊原稿の画像データであると判定された場合、すなわち画像データ５１の目標画像部候補５６が目標画像部５０であると判定された場合には、特殊原稿判定部１２はＣＰＵ１４１に、原稿が特殊原稿である可能性があることを通知する特殊原稿検知信号を送信し、ステップＳ１６に移行する。
【０１０４】
一方、画像データ５２が特殊原稿の画像データではないと判定された場合、すなわち画像データ５１の目標画像部候補５６が目標画像部５０ではないと判定された場合には、特殊原稿判定部１２はＣＰＵ１４１に、特殊原稿検知信号を送信せず、ステップＳ１７に移行する。
【０１０５】
ステップＳ１６では、ＣＰＵ１４１は、カラースキャナ装置１４による原稿５２の読取動作を停止させ、これに同期して画像処理部（ＩＣＵ）１３に特殊原稿検知コマンドを送信し、ステップＳ１７に移行する。
【０１０６】
ステップＳ１７では、画像処理部（ＩＣＵ）１３は特殊原稿検知コマンドを受信したか否かを判断する。そして、特殊原稿検知コマンドを受信したと判断した場合には、ステップＳ１８に移行する。一方、特殊検知コマンドを受信していないと判断した場合には、ステップＳ１９に移行する。
【０１０７】
ステップＳ１８では、画像処理部（ＩＣＵ）１３に備えられるＨＤＤ１３１に記録された画像データ５１を消去し、画像処理部（ＩＣＵ）１３によるすべての画像処理動作および印字動作を停止させた後、ステップＳ２４に移行し、画像形成動作を終了する。
【０１０８】
ステップＳ１９では、画像処理部（ＩＣＵ）１３に記録された画像データ５１を読出し、読出した画像データ５１をカラーモノクロ判別部１３２に入力し、ステップＳ２０に移行する。
【０１０９】
ステップＳ２０では、カラーモノクロ判別部１３２は、画像データ５１がカラー原稿の画像データであるかモノクロ原稿の画像データであるかを判別する。すなわち、操作部１１のカラーモードキー１１１によりカラーコピーモードが指定される場合にはカラー原稿の画像データであると判別し、モノクロコピーモードが指定される場合にはモノクロ原稿の画像データであると判別する。また、自動判定モードが指定される場合には、画像データ５１がカラー原稿の画像データであるかモノクロ原稿の画像データであるかを自動的に判別する。
【０１１０】
そして、画像データ５１がカラー原稿の画像データであると判別した場合には、ステップＳ２１に移行する。一方、画像データ５１がモノクロ原稿の画像データであると判別した場合には、ステップＳ２２に移行する。
【０１１１】
ステップＳ２１では、画像処理部（ＩＣＵ）１３によりカラー原稿の画像データに応じた画像処理が施され、ステップＳ２３に移行する。
【０１１２】
ステップＳ２２では、画像処理部（ＩＣＵ）１３によりモノクロ原稿の画像データに応じた画像処理が施され、ステップＳ２３に移行する。
【０１１３】
ステップＳ２３では、印字部１５は、画像処理部（ＩＣＵ）１３により画像処理が施された画像データ５１を記録紙に印字した後、ステップＳ２４に移行し、画像形成動作を終了する。
【０１１４】
このように、本発明の第１の実施形態である画像形成装置１０において、操作部１１のカラーモードキー１１は、モノクロコピーモード、フルカラーコピーモード、および自動判定モードを含むカラーモードのうちいずれか１つを指定し、特殊原稿判定部１２は、画像データ５１が特殊原稿の画像データであるか否かを判定し、画像処理部（ＩＣＵ）１３のカラーモノクロ判別部１３２は、画像データ５１がカラー原稿の画像データであるかモノクロ原稿の画像データであるかを判別し、カラースキャナ装置１４のＣＰＵ１４１は、カラーモードキー１１１の指定したカラーモードに基づいて、特殊原稿判定部１２による特殊原稿判定動作を制御する。
【０１１５】
特殊原稿判定部１２は、カラーモノクロ判別部１３２による原稿判別動作が終了する前に、特殊原稿判定動作を行ない、画像データが特殊原稿の画像データであると判定した場合に、画像形成動作を中断させる。
【０１１６】
このように、処理が煩雑になり処理時間が長くなる原稿判別動作が終了する前に、特殊原稿判定部１２が特殊原稿判定動作を行うことにより、画像データが特殊原稿の画像データである場合においても、原稿判別動作終了後に、再度コピー動作のために画像データを読出したり、再度原稿の読取りを行ったりすることを防ぐことができるため、パフォーマンスの低下を防ぐことができ、また処理時間を短くすることができる。したがって、自動判定モードが指定された場合においても、自動判定を行なう前にカラーモードと同様の処理を行なわれるため、処理が煩雑にならず、パフォーマンスを低下させることなく、特殊原稿の判定動作を確実に行い、違法複写を防止することができる。
【０１１７】
また、ＣＰＵ１４１は、カラーモードキー１１１によりモノクロコピーモードが指定されたときには特殊原稿判定部１２による特殊原稿判定動作を行わないように制御し、カラーモードキー１１１によりフルカラーコピーモードまたは自動判定モードが指定されたときには特殊原稿判定部１２による特殊原稿判定動作を行うように制御する。このように、モノクロコピーモードが指定されたときには違法複写の可能性が低いので、特殊原稿判定部１２による特殊原稿判定動作を行わないようにすることにより、よりパフォーマンスの低下を防ぐことができ、処理時間を短くすることができる。
【０１１８】
なお、カラーモードや自動判定モードが指定された場合に関しては、モノクロモードが指定された場合に対して、原稿が読取られてから印字されるまでの時間が多くかかるため、原稿読取り中に特殊原稿判定動作を行なっても印字のパフォーマンスは低下しない。
【０１１９】
（第２の実施形態）
以下に本発明の第２の実施形態である画像形成装置２０について説明する。
【０１２０】
本発明の第２の実施形態の画像形成装置２０の構成は、第１の実施形態である画像形成装置１０の構成と同一のものには同一の符号を付し、説明を省略する。
【０１２１】
本発明の第２の実施形態の画像形成装置２０において、第１の実施形態である画像形成装置１０と異なる部分は、特殊原稿判定部１２の記憶部１２４に記憶されるテーブルデータの部分である。
【０１２２】
すなわち記憶部１２４は、前処理部１２１によって情報量が少なくなるように変換された画像データ５１、目標画像部５０、特定画像部分５３、テンプレート５４、判定ウインドウ５５、第３のテーブルデータ、第４のテーブルデータ、第５のテーブルデータおよび第６のテーブルデータを記憶する。
【０１２３】
以下、第３のテーブルデータ、第４のテーブルデータ、第５のテーブルデータおよび第６のテーブルデータについて説明する。
【０１２４】
第３のテーブルデータとして記憶される設定値は、第１の実施形態において、第１のテーブルデータとして記憶部１２４に記憶された表１の設定値に対して、テンプレート５４の各画素ライン６１〜６６における第１領域〜第３領域の黒色の画素数の範囲がより広くなるように設定された値である。すなわち、テンプレート５４の各画素ライン６１〜６６に対する、第１〜第３領域の黒色の画素数の範囲が、表３に示すように設定され、これらの設定値が、第３のテーブルデータとして記憶部１２４に記憶される。
【０１２５】
画像判定部１２２は、判定ウインドウ５５の第１画素ライン〜第６画素ラインの第１領域〜第３領域におけるすべての黒色の画素数が、上述の第３のテーブルデータとして記憶されるテンプレート５４の各領域の黒色の画素数の範囲内であるか否かを判定することにより、特定画像部分５３が画像データ５１中に含まれるか否かを判定する。このように、第１のテーブルデータよりもテンプレート５４の各画素ライン６１〜６６における第１領域〜第３領域の黒色の画素数の範囲がより広くなるように設定された第３のテーブルデータを用いて判定することにより、目標画像部５０の、にじみ、かすれ、ふとりおよびずれに対する許容範囲がより広くなるため、特定画像部分５３が画像データ５１中に含まれるか否かの判定動作を、より高精度に行えるようになる。
【０１２６】
一方、第４のテーブルデータとして記憶される設定値は、第１の実施形態において、第１のテーブルデータとして記憶部１２４に記憶された表１の設定値に対して、テンプレート５４の各画素ライン６１〜６６における第１領域〜第３領域の黒色の画素数の範囲がより狭くなるように設定された値である。すなわち、テンプレート５４の各画素ライン６１〜６６に対する、第１〜第３領域の黒色の画素数の範囲が、表４に示すように設定され、これらの設定値が、第４のテーブルデータとして記憶部１２４に記憶される。
【０１２７】
画像判定部１２２は、判定ウインドウ５５の第１画素ライン〜第６画素ラインの第１領域〜第３領域におけるすべての黒色の画素数が、上述の第４のテーブルデータとして記憶されるテンプレート５４の各領域の黒色の画素数の範囲内であるか否かを判定することにより、特定画像部分５３が画像データ５１中に含まれるか否かを判定する。このように、第１のテーブルデータよりもテンプレート５４の各画素ライン６１〜６６における第１領域〜第３領域の黒色の画素数の範囲がより狭くなるように設定された第４のテーブルデータを用いて判定することにより、特定画像部分５３のにじみ、かすれ、ふとりおよびずれに対する許容範囲がより狭くなるため、特定画像部分５３が画像データ５１中に含まれるか否かの判定動作の判定精度、すなわち特殊原稿の検出率は、特定画像部分５３に、にじみ、かすれ、ふとりおよびずれなどがある場合においてはより低下するが、特定画像部分５３が含まれない画像を、特定画像部分５３が含まれる画像として誤検知する可能性は軽減される。このように、特定画像部分５３に、にじみ、かすれ、ふとりおよびずれなどがある場合の判定精度を特殊原稿の検出率が低くなるようにする代わりに、特定画像部分５３が含まれない画像を誤検知する可能性を軽減することができる。
【０１２８】
また、特定画像部分５３を含まないが、特定画像部分５３と特徴が似ている部分を含む画像においても、特定画像部分５３のにじみなどに対する許容範囲をより小さくすることで誤検知を防止することが可能である。
【０１２９】
【表３】
0004758402.tif 000004
【０１３０】
【表４】
0004758402.tif 000005
【０１３１】
また、第５のテーブルデータとして記憶される設定値は、第１の実施形態において、第２のテーブルデータとして記憶部１２４に記憶された表２の設定値に対して、目標画像部５０のそれぞれの分割部分７１〜７４に含まれる黒色の画素数の範囲がより広くなるように設定された値である。すなわち、目標画像部５０のそれぞれの分割部分７１〜７４に含まれる黒色の画素数の範囲が、表５に示すように設定され、これらの設定値が、第５のテーブルデータとして記憶部１２４に記憶される。
【０１３２】
画像確認部１２３は、目標画像部候補５６の第１分割部分〜第４分割部分における黒色の画素数が、上述の第５のテーブルデータとして記憶される目標画像部５０の第２分割部分〜第４分割部分７２〜７４における黒色の画素数の範囲内であるか否かを判断することにより、目標画像部候補５６が目標画像部５０であるか否かを確認する。このように、第２のテーブルデータよりも目標画像部５０のそれぞれの分割部分７１〜７４に含まれる黒色の画素数の範囲がより広くなるように設定された第５のテーブルデータを用いて判断することにより、目標画像部５０の、にじみ、かすれ、ふとりおよびずれに対する許容範囲がより広くなるため、目標画像部候補５６が目標画像部５０であるか否かの確認動作を、より高精度に行えるようになる。
【０１３３】
一方、第６のテーブルデータとして記憶される設定値は、第１の実施形態において、第２のテーブルデータとして記憶部１２４に記憶された表２の設定値に対して、目標画像部５０のそれぞれの分割部分７１〜７４に含まれる黒色の画素数の範囲がより狭くなるように設定された値である。すなわち、目標画像部５０のそれぞれの分割部分７１〜７４に含まれる黒色の画素数の範囲が、表６に示すように設定され、これらの設定値が、第６のテーブルデータとして記憶部１２４に記憶される。
【０１３４】
画像確認部１２３は、目標画像部候補５６の第１分割部分〜第４分割部分における黒色の画素数が、上述の第６のテーブルデータとして記憶される目標画像部５０の第２分割部分〜第４分割部分７２〜７４における黒色の画素数の範囲内であるか否かを判断することにより、目標画像部候補５６が目標画像部５０であるか否かを確認する。このように、第２のテーブルデータよりも目標画像部５０のそれぞれの分割部分７１〜７４に含まれる黒色の画素数の範囲がより狭くなるように設定された第６のテーブルデータを用いて判断することにより、目標画像部５０の、にじみ、かすれ、ふとりおよびずれに対する許容範囲がより狭くなるため、目標画像部候補５６が目標画像部５０であるか否かを確認する確認精度、すなわち特殊原稿の検出率は、目標画像部５０に、にじみ、かすれ、ふとりおよびずれなどがある場合においてはより低下するが、目標画像部５０が含まれない画像を、目標画像部５０が含まれる画像として誤検知する可能性は軽減される。このように、目標画像部５０に、にじみ、かすれ、ふとりおよびずれなどがある場合の判定精度を特殊原稿の検出率が低くなるようにする代わりに、目標画像部５０が含まれない画像を誤検知する可能性を軽減することができる。
【０１３５】
また、目標画像部５０を含まないが、目標画像部５０と特徴が似ている部分を含む画像においても、目標画像部５０のにじみなどに対する許容範囲をより小さくすることで誤検知を防止することが可能である。
【０１３６】
【表５】
0004758402.tif 000006
【０１３７】
【表６】
0004758402.tif 000007
【０１３８】
（モノクロコピーモードが指定されたときの動作）
以下に、オペレータによるカラーモードキー１１１の操作により、モノクロコピーモードが指定されたときの画像形成装置２０の動作について説明する。
【０１３９】
画像形成装置２０において、たとえばオペレータなどによりカラースキャナ装置１４に原稿５２が設置され、操作部１１のスタートキー１１２が押下されると、カラースキャナ装置１４に備えられるＣＰＵ１４１は、カラースキャナ装置１４に原稿５２の読取りを開始させる。
【０１４０】
原稿５２の読取が開始されると、ＣＰＵ１４１は、操作部１１のカラーモードキー１１１により指定されたカラーモードが、モノクロコピーモードであるか否かを判断する。この場合、指定されたカラーモードはモノクロコピーモードであると判断され、ＣＰＵ１４１は、特殊原稿判定部１２が特殊原稿判定動作を、第４のテーブルデータおよび第６のテーブルデータを用いて行うように制御する。ＣＰＵ１４１によって特殊原稿判定動作が制御されると、特殊原稿判定部１２は特殊原稿判定動作を開始し、上述した特殊原稿判定方法によって画像データ５１が特殊原稿の画像データであるか否かを判定する。
【０１４１】
そして、画像データ５１が特殊原稿の画像データであると判定された場合、すなわち画像データ５１の目標画像部候補５６が目標画像部５０であると判定された場合には、特殊原稿判定部１２はＣＰＵ１４１に、原稿が特殊原稿である可能性が高いことを通知する特殊原稿検知信号を送信し、特殊原稿検知信号を受信したＣＰＵ１４１は、カラースキャナ装置１４による原稿５２の読取動作を停止させ、これに同期して画像処理部（ＩＣＵ）１３に特殊原稿検知コマンドを送信する。
【０１４２】
一方、画像データ５１が特殊原稿の画像データではないと判定された場合、すなわち画像データ５１の目標画像部候補５６が目標画像部５０ではないと判定された場合には、特殊原稿判定部１２はＣＰＵ１４１に、特殊原稿検知信号を送信しない。
【０１４３】
特殊原稿判定部１２による特殊原稿判定動作が終了すると、画像処理部（ＩＣＵ）１３は特殊原稿検知コマンドを受信したか否かを判断する。そして、特殊原稿検知コマンドを受信したと判断された場合には、画像処理部（ＩＣＵ）１３に備えられるＨＤＤ１３１に記録される画像データ５１を消去し、画像処理部（ＩＣＵ）１３によるすべての画像処理動作を停止させる。このとき、印字部１５による印字動作が開始されている場合には、プリンタ制御部（ＰＣＵ）１６は、印字動作のみを停止して記録紙を白紙のまま出紙させる制御、記録紙の給紙をキャンセルさせる制御、画像データ５１にノイズを付加した画像を印字させる制御のうちいずれかの制御を行う。
【０１４４】
一方、特殊検知コマンドを受信していないと判断した場合には、画像処理部（ＩＣＵ）１３に記録された画像データ５１を読出し、読出した画像データ５１をカラーモノクロ判別部１３２に入力する。
【０１４５】
カラーモノクロ判別部１３２は、画像データ５１がカラー原稿の画像データであるかモノクロ原稿の画像データであるかを判別する。この場合、操作部１１のカラーモードキー１１１によりモノクロコピーモードが指定されているので、画像データ５１はモノクロ原稿の画像データであると判別され、画像処理部（ＩＣＵ）１３によりモノクロ原稿の画像データに応じた画像処理が施される。そして印字部１５は、画像処理部（ＩＣＵ）１３により画像処理が施された画像データ５１を記録紙に印字する。
【０１４６】
（フルカラーコピーモードが指定されたときの動作）
次いで、オペレータによるカラーモードキー１１１の操作により、フルカラーコピーモードが指定されたときの画像形成装置２０の動作について説明する。
【０１４７】
画像形成装置２０において、たとえばオペレータなどによりカラースキャナ装置１４に原稿５２が設置され、操作部１１のスタートキー１１２が押下されると、カラースキャナ装置１４に備えられるＣＰＵ１４１は、カラースキャナ装置１４に原稿５２の読取りを開始させる。
【０１４８】
原稿５２の読取が開始されると、ＣＰＵ１４１は、操作部１１のカラーモードキー１１１により指定されたカラーモードが、モノクロコピーモードであるか否かを判断する。この場合、指定されたカラーモードはフルカラーコピーモードであるので、モノクロコピーモードではないと判断され、ＣＰＵ１４１は、特殊原稿判定部１２が特殊原稿判定動作を第３のテーブルデータおよび第５のテーブルデータを用いて行うように制御する。ＣＰＵ１４１によって特殊原稿判定動作が制御されると、特殊原稿判定部１２は特殊原稿判定動作を開始し、上述した特殊原稿判定方法によって画像データ５１が特殊原稿の画像データであるか否かを判定する。
【０１４９】
そして、画像データ５１が特殊原稿の画像データであると判定された場合、すなわち画像データ５１の目標画像部候補５６が目標画像部５０であると判定された場合には、特殊原稿判定部１２はＣＰＵ１４１に、原稿が特殊原稿である可能性が高いことを通知する特殊原稿検知信号を送信し、特殊原稿検知信号を受信したＣＰＵ１４１は、カラースキャナ装置１４による原稿の読取動作を停止させ、これに同期して画像処理部（ＩＣＵ）１３に特殊原稿検知コマンドを送信する。
【０１５０】
一方、画像データ５１が特殊原稿の画像データではないと判定された場合、すなわち画像データ５１の目標画像部候補５６が目標画像部５０ではないと判定された場合には、特殊原稿判定部１２はＣＰＵ１４１に、特殊原稿検知信号を送信しない。
【０１５１】
特殊原稿判定部１２による特殊原稿判定動作が終了すると、画像処理部（ＩＣＵ）１３は特殊原稿検知コマンドを受信したか否かを判断する。そして、特殊原稿検知コマンドを受信したと判断した場合には、画像処理部（ＩＣＵ）１３に備えられるＨＤＤ１３１に記録される画像データ５１を消去し、画像処理部（ＩＣＵ）１３によるすべての画像処理動作を停止させる。このとき、印字部１５による印字動作が開始されている場合には、プリンタ制御部（ＰＣＵ）１６は、印字動作のみを停止して記録紙を白紙のまま出紙させる制御、記録紙の給紙をキャンセルさせる制御、画像データ５１にノイズを付加した画像を印字させる制御のうちいずれかの制御を行う。
【０１５２】
一方、特殊検知コマンドを受信していないと判断した場合には、画像処理部（ＩＣＵ）１３に記録された画像データ５１を読出し、読出した画像データ５１をカラーモノクロ判別部１３２に入力する。
【０１５３】
カラーモノクロ判別部１３２は、画像データ５１がカラー原稿の画像データであるかモノクロ原稿の画像データであるかを判別する。この場合、操作部１１のカラーモードキー１１１によりフルカラーコピーモードが指定されているので、画像データ５１はカラー原稿の画像データであると判別され、画像処理部（ＩＣＵ）１３によりカラー原稿の画像データに応じた画像処理が施される。そして印字部１５は、画像処理部（ＩＣＵ）１３により画像処理が施された画像データ５１を記録紙に印字する。
【０１５４】
（自動判定モードが指定されたときの動作）
次いで、オペレータによるカラーモードキー１１１の操作により、自動判定モードが指定されたときの画像形成装置２０の動作について説明する。
【０１５５】
画像形成装置２０において、たとえばオペレータなどによりカラースキャナ装置１４に原稿５２が設置され、操作部１１のスタートキー１１２が押下されると、カラースキャナ装置１４に備えられるＣＰＵ１４１は、カラースキャナ装置１４に原稿５２の読取りを開始させる。
【０１５６】
原稿５２の読取が開始されると、ＣＰＵ１４１は、操作部１１のカラーモードキー１１１により指定されたカラーモードが、モノクロコピーモードであるか否かを判断する。この場合、指定されたカラーモードは自動判定モードであるので、モノクロコピーモードではないと判断され、ＣＰＵ１４１は、特殊原稿判定部１２が特殊原稿判定動作を第３のテーブルデータおよび第５のテーブルデータを用いて行うように制御する。ＣＰＵ１４１によって特殊原稿判定動作が制御されると、特殊原稿判定部１２は特殊原稿判定動作を開始し、上述した特殊原稿判定方法によって画像データ５１が特殊原稿の画像データであるか否かを判定する。
【０１５７】
そして、画像データ５１が特殊原稿の画像データであると判定された場合、すなわち画像データ５１の目標画像部候補５６が目標画像部５０であると判定された場合には、特殊原稿判定部１２はＣＰＵ１４１に、原稿が特殊原稿である可能性が高いことを通知する特殊原稿検知信号を送信し、特殊原稿検知信号を受信したＣＰＵ１４１は、カラースキャナ装置１４による原稿５２の読取動作を停止させ、これに同期して画像処理部（ＩＣＵ）１３に特殊原稿検知コマンドを送信する。
【０１５８】
一方、画像データ５１が特殊原稿の画像データではないと判定された場合、すなわち画像データ５１の目標画像部候補５６が目標画像部５０ではないと判定された場合には、特殊原稿判定部１２はＣＰＵ１４１に、特殊原稿検知信号を送信しない。
【０１５９】
特殊原稿判定部１２による特殊原稿判定動作が終了すると、画像処理部（ＩＣＵ）１３は特殊原稿検知コマンドを受信したか否かを判断する。そして、特殊原稿検知コマンドを受信したと判断された場合には、画像処理部（ＩＣＵ）１３に備えられるＨＤＤ１３１に記録される画像データ５１を消去し、画像処理部（ＩＣＵ）１３によるすべての画像処理動作を停止させる。このとき、印字部１５による印字動作が開始されている場合には、プリンタ制御部（ＰＣＵ）１６は、印字動作のみを停止して記録紙を白紙のまま出紙させる制御、記録紙の給紙をキャンセルさせる制御、画像データ５１にノイズを付加した画像を印字させる制御のうちいずれかの制御を行う。
【０１６０】
一方、特殊検知コマンドを受信していないと判断された場合には、画像処理部（ＩＣＵ）１３に記録された画像データ５１を読出し、読出した画像データ５１をカラーモノクロ判別部１３２に入力する。
【０１６１】
カラーモノクロ判別部１３２は、画像データ５１がカラー原稿の画像データであるかモノクロ原稿の画像データであるかを判別する。この場合、操作部１１のカラーモードキー１１１により自動判定モードが指定されているので、カラーモノクロ判別部１３２は、画像データ５１がカラー原稿の画像データであるかモノクロ原稿の画像データであるかを自動的に判別する。そして、画像データ５１はモノクロ原稿の画像データであると判別された場合には、画像処理部（ＩＣＵ）１３によりモノクロ原稿の画像データに応じた画像処理が施される。一方、画像データ５１はカラー原稿の画像データであると判別された場合には、画像処理部（ＩＣＵ）１３によりカラー原稿の画像データに応じた画像処理が施される。そして印字部１５は、画像処理部（ＩＣＵ）１３により画像処理が施された画像データ５１を記録紙に印字する。
【０１６２】
以下に、図９を用いて、本発明の第２の実施形態である画像形成装置２０の動作手順の一例について説明する。図９は、本発明の第２の実施形態である画像形成装置２０の動作手順の一例を示すフロー図である。
【０１６３】
画像形成装置２０において、オペレータが、カラースキャナ装置１４に原稿を設置し、操作部１１のスタートキー１１２を押下すると、ステップＳ３０からステップＳ３１に移行し、ステップＳ３０からステップＳ４４までの一連の画像形成動作が開始される。
【０１６４】
ステップＳ３１では、カラースキャナ装置１４に備えられるＣＰＵ１４１は、カラースキャナ装置１４に原稿５２の読取りを開始させる。原稿５２の読取が開始されると、ステップＳ３２に移行する。
【０１６５】
ステップＳ３２では、ＣＰＵ１４１は、操作部１１のカラーモードキー１１１により指定されたカラーモードが、モノクロコピーモードであるか否かを判断する。そして、指定されたカラーモードがモノクロコピーモードであると判断された場合には、ステップＳ３３に移行する。一方、指定されたカラーモードがフルカラーコピーモードまたは自動判定モードであって、モノクロコピーモードではないと判断された場合には、ステップＳ３４に移行する。
【０１６６】
ステップＳ３３では、ＣＰＵ１４１は、特殊原稿判定部１２が特殊原稿判定動作を第４のテーブルデータおよび第６のテーブルデータを用いて行うように制御し、ステップＳ３５に移行する。
【０１６７】
ステップＳ３４では、ＣＰＵ１４１は、特殊原稿判定部１２が特殊原稿判定動作を第３のテーブルデータおよび第５のテーブルデータを用いて行うように制御し、ステップＳ３５に移行する。
【０１６８】
ステップＳ３５では、特殊原稿判定部１２は、画像データ５２が特殊原稿の画像データであるか否かを判定する。そして、画像データ５２が特殊原稿の画像データであると判定された場合、すなわち画像データ５１の目標画像部候補５６が目標画像部５０であると判定された場合には、特殊原稿判定部１２はＣＰＵ１４１に、原稿が特殊原稿である可能性があることを通知する特殊原稿検知信号を送信し、ステップＳ３６に移行する。
【０１６９】
一方、画像データ５２が特殊原稿の画像データではないと判定された場合、すなわち画像データ５１の目標画像部候補５６が目標画像部５０ではないと判定された場合には、特殊原稿判定部１２はＣＰＵ１４１に、特殊原稿検知信号を送信せず、ステップＳ３７に移行する。
【０１７０】
ステップＳ３６では、ＣＰＵ１４１は、カラースキャナ装置１４による原稿５２の読取動作を停止させ、これに同期して画像処理部（ＩＣＵ）１３に特殊原稿検知コマンドを送信し、ステップＳ３７に移行する。
【０１７１】
ステップＳ３７では、画像処理部（ＩＣＵ）１３は特殊原稿検知コマンドを受信したか否かを判断する。そして、特殊原稿検知コマンドを受信したと判断した場合には、ステップＳ３８に移行する。一方、特殊検知コマンドを受信していないと判断した場合には、ステップＳ３９に移行する。
【０１７２】
ステップＳ３８では、画像処理部（ＩＣＵ）１３に備えられるＨＤＤ１３１に記録された画像データ５１を消去し、画像処理部（ＩＣＵ）１３によるすべての画像処理動作および印字動作を停止させた後、ステップＳ４４に移行し、画像形成動作を終了する。
【０１７３】
ステップＳ３９では、画像処理部（ＩＣＵ）１３に記録された画像データ５１を読出し、読出した画像データ５１をカラーモノクロ判別部１３２に入力し、ステップＳ４０に移行する。
【０１７４】
ステップＳ４０では、カラーモノクロ判別部１３２は、画像データ５１がカラー原稿の画像データであるかモノクロ原稿の画像データであるかを判別する。すなわち、操作部１１のカラーモードキー１１１によりカラーコピーモードが指定される場合にはカラー原稿の画像データであると判別し、モノクロコピーモードが指定される場合にはモノクロ原稿の画像データであると判別する。また、自動判定モードが指定される場合には、画像データ５１がカラー原稿の画像データであるかモノクロ原稿の画像データであるかを自動的に判別する。
【０１７５】
そして、画像データ５１がカラー原稿の画像データであると判別した場合には、ステップＳ４１に移行する。一方、画像データ５１がモノクロ原稿の画像データであると判別した場合には、ステップＳ４２に移行する。
【０１７６】
ステップＳ４１では、画像処理部（ＩＣＵ）１３によりカラー原稿の画像データに応じた画像処理が施され、ステップＳ４３に移行する。
【０１７７】
ステップＳ４２では、画像処理部（ＩＣＵ）１３によりモノクロ原稿の画像データに応じた画像処理が施され、ステップＳ４３に移行する。
【０１７８】
ステップＳ４３では、印字部１５は、画像処理部（ＩＣＵ）１３により画像処理が施された画像データ５１を記録紙に印字した後、ステップＳ４４に移行し、画像形成動作を終了する。
【０１７９】
このように、本発明の第２の実施形態である画像形成装置２０では、第１の実施形態である画像形成装置１０と同一の構成を有することにより得られる第２の実施形態と同様の効果とともに、以下に示す効果を得ることができる。
【０１８０】
画像形成装置２０において、ＣＰＵ１４１は、カラーモードキー１１１がモノクロコピーモードを指定したときには、特殊原稿判定部１２による特殊原稿判定動作における判定精度を、カラーモードキー１１１がフルカラーコピーモードまたは自動判定モードを指定したときの判定精度よりも、特殊原稿の検出率が低くなるように制御する。このように、モノクロコピーモードが指定されたときには違法複写の可能性が低いので、特殊原稿判定部１２による特殊原稿判定動作における判定精度を、特殊原稿の検出率が低くなるようにすることにより、その代わりに特殊原稿ではない原稿を特殊原稿として誤検知する可能性を低減することができる。
【０１８１】
なお、本実施形態では、モノクロコピーモードが指定されたときには、特殊原稿判定動作で用いる設定値の閾値を高くする構成であったが、特にこれに限定されるものではなく、たとえば、特殊原稿の検出率がより高くなるようにするために再計算または再読み取りなどを行なう方法を用いる場合などには、モノクロコピーモードが指定されたときに、再計算または再読み取りを行なわないように制御することで特殊原稿の検出率が低くなる代わりに、上記効果を得るとともに、さらにパフォーマンスの低下を防ぐことができ、処理時間を短くすることができる。
【０１８２】
（第３の実施形態）
以下に本発明の第３の実施形態である画像形成装置３０について説明する。
【０１８３】
本発明の第３の実施形態の画像形成装置３０の構成において、第１の実施形態である画像形成装置１０の構成と同一のものには同一の符号を付し、説明を省略する。
【０１８４】
本発明の第３の実施形態の画像形成装置３０において、第１の実施形態である画像形成装置１０と異なる部分は、操作部１１にファイリングキー１１４および特別機能キー１１５が設けられる部分である
図１０は、本発明の第３の実施形態である画像形成装置３０における操作部１１の構成の一例を示す概略図である。図１０に示すように、操作部１１は、ファンクションキーとして、カラーモードキー１１１、スタートキー１１２、倍率指定キー１１３などとともに、カラーモードキー１１１によりモノクロコピーモードが指定されたときに、後述する画像処理部（ＩＣＵ）１３のＨＤＤ１３１に原稿５２のカラー画像データを記録し保存させるカラー画像データ保存モードを指定するファイリングキー１１４を備える。また、特別機能キー１１５をタッチして、「お試しコピー」モードを設定しても、同様にカラー画像データ保存モードを指定できる。ファイリングキー１１４および特別機能キー１１５は、第２の指定手段に相当する。
【０１８５】
画像形成装置１０の操作部１１は、上述のファイリングキー１１４および特別機能キー１１５を備えることにより、一度カラースキャナ装置１４で読取ってモノクロコピーした原稿５２を用いてカラーコピーするときに、ＨＤＤ１３１に保存されるカラー画像データ５１を読出して印字することができるため、再度カラースキャナ装置１４で読取る手間を省くことができる。また、一回目の印字のときに、カラーモードキー１１１によりモノクロコピーモードが指定されていた場合であっても、２回目以降の印字のときにカラーコピーモードを指定することにより、一回目のモノクロコピーに用いたものと同じ原稿５２の画像データ５１をカラーコピーすることができる。
【０１８６】
（モノクロコピーモードが指定されたときの動作）
以下に、オペレータによるカラーモードキー１１１の操作により、モノクロコピーモードが指定されたときの画像形成装置３０の動作について説明する。なお、オペレータによるカラーモードキー１１１の操作により、フルカラーコピーモードまたは自動判定モードが指定されたときの画像形成装置３０の動作は、第１の実施形態である画像形成装置１０の動作と同じであるため、説明を省略する。
【０１８７】
画像形成装置３０において、たとえばオペレータなどによりカラースキャナ装置１４に原稿５２が設置され、操作部１１のファイリングキー１１４または特別機能キー１１５によりカラー画像データ保存モードが指定され、操作部１１のスタートキー１１２が押下されると、カラースキャナ装置１４に備えられるＣＰＵ１４１は、カラースキャナ装置１４に原稿５２の読取りを開始させる。
【０１８８】
原稿５２の読取が開始されると、ＣＰＵ１４１は、操作部１１のカラーモードキー１１１により指定されたカラーモードが、モノクロコピーモードであるか否かを判断する。この場合、指定されたカラーモードはモノクロコピーモードであると判断され、ＣＰＵ１４１は、操作部１１のファイリングキー１１４または特別機能キー１１５の操作により、カラー画像データ保存モードが指定されたか否かを判断する。そして、カラー画像データ保存モードが指定されていないと判断された場合には、特殊原稿判定部１２が特殊原稿判定動作を行わないように制御する。一方、カラー画像データ保存モードが指定されたと判断された場合には、特殊原稿判定部１２が特殊原稿判定動作を行うように制御する。これにより、特殊原稿判定部１２は特殊原稿判定動作を開始し、上述した特殊原稿判定方法によって画像データ５１が特殊原稿の画像データであるか否かを判定する。
【０１８９】
そして、画像データ５１が特殊原稿の画像データであると判定された場合、すなわち画像データ５１の目標画像部候補５６が目標画像部５０であると判定された場合には、特殊原稿判定部１２はＣＰＵ１４１に、原稿が特殊原稿である可能性が高いことを通知する特殊原稿検知信号を送信し、特殊原稿検知信号を受信したＣＰＵ１４１は、カラースキャナ装置１４による原稿の読取動作を停止させ、これに同期して画像処理部（ＩＣＵ）１３に特殊原稿検知コマンドを送信する。
【０１９０】
一方、画像データ５１が特殊原稿の画像データではないと判定された場合、すなわち画像データ５１の目標画像部候補５６が目標画像部５０ではないと判定された場合には、特殊原稿判定部１２はＣＰＵ１４１に、特殊原稿検知信号を送信しない。
【０１９１】
特殊原稿判定部１２による特殊原稿判定動作が終了すると、画像処理部（ＩＣＵ）１３は特殊原稿検知コマンドを受信したか否かを判断する。そして、特殊原稿検知コマンドを受信したと判断した場合には、画像処理部（ＩＣＵ）１３に備えられるＨＤＤ１３１に記録される画像データ５１を消去し、画像処理部（ＩＣＵ）１３によるすべての画像処理動作を停止させる。このとき、印字部１５による印字動作が開始されている場合には、プリンタ制御部（ＰＣＵ）１６は、印字動作のみを停止して記録紙を白紙のまま出紙させる制御、記録紙の給紙をキャンセルさせる制御、画像データ５１にノイズを付加した画像を印字させる制御のうちいずれかの制御を行う。
【０１９２】
一方、特殊原稿判定動作が行われておらず、特殊検知コマンドを受信していないと判断した場合には、画像処理部（ＩＣＵ）１３に記録された画像データ５１を保存すると同時に読出し、読出した画像データ５１をカラーモノクロ判別部１３２に入力する。
【０１９３】
カラーモノクロ判別部１３２は、画像データ５１がカラー原稿の画像データであるかモノクロ原稿の画像データであるかを判別する。この場合、操作部１１のカラーモードキー１１１によりモノクロコピーモードが指定されているので、画像データ５１はモノクロ原稿の画像データであると判別され、画像処理部（ＩＣＵ）１３によりモノクロ原稿の画像データに応じた画像処理が施される。そして印字部１５は、画像処理部（ＩＣＵ）１３により画像処理が施された画像データ５１を記録紙に印字する。
【０１９４】
以下に、図１１を用いて、本発明の第３の実施形態である画像形成装置３０の動作手順の一例について説明する。図１１は、本発明の第３の実施形態である画像形成装置３０の動作手順の一例を示すフロー図である。
【０１９５】
画像形成装置３０において、オペレータが、カラースキャナ装置１４に原稿を設置し、操作部１１のスタートキー１１２を押下すると、ステップＳ５０からステップＳ５１に移行し、ステップＳ５０からステップＳ６５までの一連の画像形成動作が開始される。
【０１９６】
ステップＳ５１では、カラースキャナ装置１４に備えられるＣＰＵ１４１は、カラースキャナ装置１４に原稿の読取りを開始させる。原稿の読取が開始されると、ステップＳ５２に移行する。
【０１９７】
ステップＳ５２では、ＣＰＵ１４１は、操作部１１のカラーモードキー１１１により指定されたカラーモードが、モノクロコピーモードであるか否かを判断する。そして、指定されたカラーモードがモノクロコピーモードであると判断された場合には、ステップＳ５３に移行する。一方、指定されたカラーモードがフルカラーコピーモードまたは自動判定モードであって、モノクロコピーモードではないと判断された場合には、ステップＳ５４に移行する。
【０１９８】
ステップＳ５３では、ＣＰＵ１４１は、操作部１１のファイリングキー１１４または特別機能キー１１５の操作により、カラー画像データ保存モードが指定されたか否かを判断する。そして、カラー画像データ保存モードが指定されていないと判断された場合には、ステップＳ５５に移行する。一方、カラー画像データ保存モードが指定されたと判断された場合には、ステップＳ５４に移行する。
【０１９９】
ステップＳ５４では、ＣＰＵ１４１は、特殊原稿判定部１２が特殊原稿判定動作を行うように制御し、ステップＳ５６に移行する。
【０２００】
ステップＳ５５では、特殊原稿判定部１２が特殊原稿判定動作を行わないように制御し、ステップＳ５８に移行する。
【０２０１】
ステップＳ５６では、特殊原稿判定部１２は、画像データ５２が特殊原稿の画像データであるか否かを判定する。そして、画像データ５２が特殊原稿の画像データであると判定された場合、すなわち画像データ５１の目標画像部候補５６が目標画像部５０であると判定された場合には、特殊原稿判定部１２はＣＰＵ１４１に、原稿が特殊原稿である可能性があることを通知する特殊原稿検知信号を送信し、ステップＳ５７に移行する。
【０２０２】
一方、画像データ５２が特殊原稿の画像データではないと判定された場合、すなわち画像データ５１の目標画像部候補５６が目標画像部５０ではないと判定された場合には、特殊原稿判定部１２はＣＰＵ１４１に、特殊原稿検知信号を送信せず、ステップＳ５８に移行する。
【０２０３】
ステップＳ５７では、ＣＰＵ１４１は、カラースキャナ装置１４による原稿５２の読取動作を停止させ、これに同期して画像処理部（ＩＣＵ）１３に特殊原稿検知コマンドを送信し、ステップＳ５８に移行する。
【０２０４】
ステップＳ５８では、画像処理部（ＩＣＵ）１３は特殊原稿検知コマンドを受信したか否かを判断する。そして、特殊原稿検知コマンドを受信したと判断した場合には、ステップＳ５９に移行する。一方、特殊検知コマンドを受信していないと判断した場合には、ステップＳ６０に移行する。
【０２０５】
ステップＳ５９では、画像処理部（ＩＣＵ）１３に備えられるＨＤＤ１３１に記録された画像データ５１を消去し、画像処理部（ＩＣＵ）１３によるすべての画像処理動作および印字動作を停止させた後、ステップＳ６５に移行し、画像形成動作を終了する。
【０２０６】
ステップＳ６０では、画像処理部（ＩＣＵ）１３に記録された画像データ５１を保存すると同時に読出し、読出した画像データ５１をカラーモノクロ判別部１３２に入力し、ステップＳ６１に移行する。
【０２０７】
ステップＳ６１では、カラーモノクロ判別部１３２は、画像データ５１がカラー原稿の画像データであるかモノクロ原稿の画像データであるかを判別する。すなわち、操作部１１のカラーモードキー１１１によりカラーコピーモードが指定される場合にはカラー原稿の画像データであると判別し、モノクロコピーモードが指定される場合にはモノクロ原稿の画像データであると判別する。また、自動判定モードが指定される場合には、画像データ５１がカラー原稿の画像データであるかモノクロ原稿の画像データであるかを自動的に判別する。
【０２０８】
そして、画像データ５１がカラー原稿の画像データであると判別した場合には、ステップＳ６２に移行する。一方、画像データ５１がモノクロ原稿の画像データであると判別した場合には、ステップＳ６３に移行する。
【０２０９】
ステップＳ６２では、画像処理部（ＩＣＵ）１３によりカラー原稿の画像データに応じた画像処理が施され、ステップＳ６４に移行する。
【０２１０】
ステップＳ６３では、画像処理部（ＩＣＵ）１３によりモノクロ原稿の画像データに応じた画像処理が施され、ステップＳ６４に移行する。
【０２１１】
ステップＳ６４では、印字部１５は、画像処理部（ＩＣＵ）１３により画像処理が施された画像データ５１を記録紙に印字した後、ステップＳ６５に移行し、画像形成動作を終了する。
【０２１２】
このように、本発明の第３の実施形態である画像形成装置３０は、第１の実施形態である画像形成装置１０と同一の構成を有することにより得られる第１の実施形態と同様の効果とともに、以下に示す効果を得ることができる。すなわち、画像形成装置３０は、カラーモードキー１１１によりモノクロコピーモードが指定されたときに、入力された画像データをカラー画像データとして保存するカラー画像データ保存モードを指定するファイリングキー１１４および特別機能キー１１５を備え、ＣＰＵ１４１は、カラーモードキー１１１がモノクロコピーモードを指定したときであって、かつファイリングキー１１４または特別機能キー１１５がカラー画像データ保存モードを指定したときに、特殊原稿判定部１２による特殊原稿判定動作を行うように制御する。これにより、保存されるカラー画像データの２次利用による違法複写を防止することができ、より確実に違法複写を防止することができる。
【０２１３】
（第４の実施形態）
以下に本発明の第４の実施形態である画像形成装置４０について説明する。
【０２１４】
本発明の第４の実施形態の画像形成装置４０の構成において、第１の実施形態である画像形成装置１０の構成と同一のものには同一の符号を付し、説明を省略する。
【０２１５】
本発明の第４の実施形態の画像形成装置４０において、第１の実施形態である画像形成装置１０と異なる部分は、操作部１１にファイリングキー１１４および特別機能キー１１５が設けられる部分と、特殊原稿判定部１２の記憶部１２４に記憶されるテーブルデータの部分である。
【０２１６】
操作部１１は、ファンクションキーとして、カラーモードキー１１１、スタートキー１１２、倍率指定キー１１３などとともに、ファイリングキー１１４および特別機能キー１１５を備える。ファイリングキー１１４および特別機能キー１１５の構成については、第３の実施形態である画像形成装置３０のものと同一である。
【０２１７】
また記憶部１２４は、前処理部１２１によって情報量が少なくなるように変換された画像データ５１、目標画像部５０、特定画像部分５３、テンプレート５４、判定ウインドウ５５、第３のテーブルデータ、第４のテーブルデータ、第５のテーブルデータおよび第６のテーブルデータを記憶する。第３のテーブルデータ、第４のテーブルデータ、第５のテーブルデータおよび第６のテーブルデータについては、第２の実施形態である画像形成装置２０の記憶部１２４に記憶されるもの同一である。
【０２１８】
（モノクロコピーモードが指定されたときの動作）
以下に、オペレータによるカラーモードキー１１１の操作により、モノクロコピーモードが指定されたときの画像形成装置４０の動作について説明する。なお、オペレータによるカラーモードキー１１１の操作により、フルカラーコピーモードまたは自動判定モードが指定されたときの画像形成装置４０の動作は、第２の実施形態である画像形成装置２０の動作と同じであるため、説明を省略する。
【０２１９】
画像形成装置４０において、たとえばオペレータなどによりカラースキャナ装置１４に原稿５２が設置され、操作部１１のファイリングキー１１４または特別機能キー１１５によりカラー画像データ保存モードが指定され、操作部１１のスタートキー１１２が押下されると、カラースキャナ装置１４に備えられるＣＰＵ１４１は、カラースキャナ装置１４に原稿５２の読取りを開始させる。
【０２２０】
原稿５２の読取が開始されると、ＣＰＵ１４１は、操作部１１のカラーモードキー１１１により指定されたカラーモードが、モノクロコピーモードであるか否かを判断する。この場合、指定されたカラーモードはモノクロコピーモードであると判断され、ＣＰＵ１４１は、操作部１１のファイリングキー１１４または特別機能キー１１５の操作により、カラー画像データ保存モードが指定されたか否かを判断する。そして、カラー画像データ保存モードが指定されていないと判断された場合には、特殊原稿判定部１２が特殊原稿判定動作を、第４のテーブルデータおよび第６のテーブルデータを用いて行うように制御する。一方、カラー画像データ保存モードが指定されていると判断された場合には、特殊原稿判定部１２が特殊原稿判定動作を、第３のテーブルデータおよび第５のテーブルデータを用いて行うように制御する。
【０２２１】
ＣＰＵ１４１によって特殊原稿判定動作が制御されると、特殊原稿判定部１２は特殊原稿判定動作を開始し、上述した特殊原稿判定方法によって画像データ５１が特殊原稿の画像データであるか否かを判定する。
【０２２２】
そして、画像データ５１が特殊原稿の画像データであると判定された場合、すなわち画像データ５１の目標画像部候補５６が目標画像部５０であると判定された場合には、特殊原稿判定部１２はＣＰＵ１４１に、原稿が特殊原稿である可能性が高いことを通知する特殊原稿検知信号を送信し、特殊原稿検知信号を受信したＣＰＵ１４１は、カラースキャナ装置１４による原稿の読取動作を停止させ、これに同期して画像処理部（ＩＣＵ）１３に特殊原稿検知コマンドを送信する。
【０２２３】
一方、画像データ５１が特殊原稿の画像データではないと判定された場合、すなわち画像データ５１の目標画像部候補５６が目標画像部５０ではないと判定された場合には、特殊原稿判定部１２はＣＰＵ１４１に、特殊原稿検知信号を送信しない。
【０２２４】
特殊原稿判定部１２による特殊原稿判定動作が終了すると、画像処理部（ＩＣＵ）１３は特殊原稿検知コマンドを受信したか否かを判断する。そして、特殊原稿検知コマンドを受信したと判断した場合には、画像処理部（ＩＣＵ）１３に備えられるＨＤＤ１３１に記録される画像データ５１を消去し、画像処理部（ＩＣＵ）１３によるすべての画像処理動作を停止させる。このとき、印字部１５による印字動作が開始されている場合には、プリンタ制御部（ＰＣＵ）１６は、印字動作のみを停止して記録紙を白紙のまま出紙させる制御、記録紙の給紙をキャンセルさせる制御、画像データ５１にノイズを付加した画像を印字させる制御のうちいずれかの制御を行う。
【０２２５】
一方、特殊検知コマンドを受信していないと判断した場合には、画像処理部（ＩＣＵ）１３に記録された画像データ５１を保存すると同時に読出し、読出した画像データ５１をカラーモノクロ判別部１３２に入力する。
【０２２６】
カラーモノクロ判別部１３２は、画像データ５１がカラー原稿の画像データであるかモノクロ原稿の画像データであるかを判別する。この場合、操作部１１のカラーモードキー１１１によりモノクロコピーモードが指定されているので、画像データ５１はモノクロ原稿の画像データであると判別され、画像処理部（ＩＣＵ）１３によりモノクロ原稿の画像データに応じた画像処理が施される。そして印字部１５は、画像処理部（ＩＣＵ）１３により画像処理が施された画像データ５１を記録紙に印字する。
【０２２７】
以下に、図１２を用いて、本発明の第４の実施形態である画像形成装置４０の動作手順の一例について説明する。図１２は、本発明の第４の実施形態である画像形成装置４０の動作手順の一例を示すフロー図である。
【０２２８】
画像形成装置４０において、オペレータが、カラースキャナ装置１４に原稿を設置し、操作部１１のスタートキー１１２を押下すると、ステップＳ７０からステップＳ７１に移行し、ステップＳ７０からステップＳ８５までの一連の画像形成動作が開始される。
【０２２９】
ステップＳ７１では、カラースキャナ装置１４に備えられるＣＰＵ１４１は、カラースキャナ装置１４に原稿５２の読取りを開始させる。原稿５２の読取が開始されると、ステップＳ７２に移行する。
【０２３０】
ステップＳ７２では、ＣＰＵ１４１は、操作部１１のカラーモードキー１１１により指定されたカラーモードが、モノクロコピーモードであるか否かを判断する。そして、指定されたカラーモードがモノクロコピーモードであると判断された場合には、ステップＳ７３に移行する。一方、指定されたカラーモードがフルカラーコピーモードまたは自動判定モードであって、モノクロコピーモードではないと判断された場合には、ステップＳ７５に移行する。
【０２３１】
ステップＳ７３では、ＣＰＵ１４１は、操作部１１のファイリングキー１１４または特別機能キー１１５の操作により、カラー画像データ保存モードが指定されたか否かを判断する。そして、カラー画像データ保存モードが指定されていないと判断された場合には、ステップＳ７４に移行する。一方、カラー画像データ保存モードが指定されたと判断された場合には、ステップＳ７５に移行する。
【０２３２】
ステップＳ７４では、ＣＰＵ１４１は、特殊原稿判定部１２が特殊原稿判定動作を第４のテーブルデータおよび第６のテーブルデータを用いて行うように制御し、ステップＳ７６に移行する。
【０２３３】
ステップＳ７５では、ＣＰＵ１４１は、特殊原稿判定部１２が特殊原稿判定動作を第３のテーブルデータおよび第５のテーブルデータを用いて行うように制御し、ステップＳ７６に移行する。
【０２３４】
このように、前述のように、第３のテーブルデータおよび第５のテーブルデータを用いて特殊原稿判定動作を行うことにより、特殊原稿の判定精度、すなわち特殊原稿の検出率が高くなる。また第４のテーブルデータおよび第６のテーブルデータを用いて特殊原稿判定動作を行うことにより、特殊原稿の判定精度、すなわち特殊原稿の検出率は低下するが、その代わりに、特殊原稿ではない原稿を特殊原稿として誤検知する可能性を低減することができる。
【０２３５】
ステップＳ７６では、特殊原稿判定部１２は、画像データ５２が特殊原稿の画像データであるか否かを判定する。そして、画像データ５２が特殊原稿の画像データであると判定された場合、すなわち画像データ５１の目標画像部候補５６が目標画像部５０であると判定された場合には、特殊原稿判定部１２はＣＰＵ１４１に、原稿が特殊原稿である可能性があることを通知する特殊原稿検知信号を送信し、ステップＳ７７に移行する。
【０２３６】
一方、画像データ５２が特殊原稿の画像データではないと判定された場合、すなわち画像データ５１の目標画像部候補５６が目標画像部５０ではないと判定された場合には、特殊原稿判定部１２はＣＰＵ１４１に、特殊原稿検知信号を送信せず、ステップＳ７８に移行する。
【０２３７】
ステップＳ７７では、ＣＰＵ１４１は、カラースキャナ装置１４による原稿５２の読取動作を停止させ、これに同期して画像処理部（ＩＣＵ）１３に特殊原稿検知コマンドを送信し、ステップＳ７８に移行する。
【０２３８】
ステップＳ７８では、画像処理部（ＩＣＵ）１３は特殊原稿検知コマンドを受信したか否かを判断する。そして、特殊原稿検知コマンドを受信したと判断した場合には、ステップＳ７９に移行する。一方、特殊原稿検知コマンドを受信していないと判断した場合には、ステップＳ８０に移行する。
【０２３９】
ステップＳ７９では、画像処理部（ＩＣＵ）１３に備えられるＨＤＤ１３１に記録された画像データ５１を消去し、画像処理部（ＩＣＵ）１３によるすべての画像処理動作および印字動作を停止させた後、ステップＳ８５に移行し、画像形成動作を終了する。
【０２４０】
ステップＳ８０では、画像処理部（ＩＣＵ）１３に記録された画像データ５１を保存すると同時に読出し、読出した画像データ５１をカラーモノクロ判別部１３２に入力し、ステップＳ８１に移行する。
【０２４１】
ステップＳ８１では、カラーモノクロ判別部１３２は、画像データ５１がカラー原稿の画像データであるかモノクロ原稿の画像データであるかを判別する。すなわち、操作部１１のカラーモードキー１１１によりカラーコピーモードが指定される場合にはカラー原稿の画像データであると判別し、モノクロコピーモードが指定される場合にはモノクロ原稿の画像データであると判別する。また、自動判定モードが指定される場合には、画像データ５１がカラー原稿の画像データであるかモノクロ原稿の画像データであるかを自動的に判別する。
【０２４２】
そして、画像データ５１がカラー原稿の画像データであると判別した場合には、ステップＳ８２に移行する。一方、画像データ５１がモノクロ原稿の画像データであると判別した場合には、ステップＳ８３に移行する。
【０２４３】
ステップＳ８２では、画像処理部（ＩＣＵ）１３によりカラー原稿の画像データに応じた画像処理が施され、ステップＳ８４に移行する。
【０２４４】
ステップＳ８３では、画像処理部（ＩＣＵ）１３によりモノクロ原稿の画像データに応じた画像処理が施され、ステップＳ８４に移行する。
【０２４５】
ステップＳ８４では、印字部１５は、画像処理部（ＩＣＵ）１３により画像処理が施された画像データ５１を記録紙に印字した後、ステップＳ８５に移行し、画像形成動作を終了する。
【０２４６】
このように、本発明の第４の実施形態である画像形成装置４０は、第２の実施形態である画像形成装置２０と同一の構成を有することにより得られる第２の実施形態と同様の効果とともに、以下に示す効果を得ることができる。すなわち、画像形成装置４０は、カラーモードキー１１１によりモノクロコピーモードが指定されたときに、入力された画像データをカラー画像データとして保存するカラー画像データ保存モードを指定するファイリングキー１１４および特別機能キー１１５を備え、ＣＰＵ１４１は、カラーモードキー１１１がモノクロコピーモードを指定したときであって、かつファイリングキー１１４または特別機能キー１１５がカラー画像データ保存モードを指定したときに、特殊原稿判定部１２による特殊原稿判定動作の判定精度を、カラーモードキー１１１がモノクロコピーモードを指定したときであって、かつファイリングキー１１４または特別機能キー１１５がカラー画像データ保存モードを指定しないときの判定精度よりも、特殊原稿の検出率が高くなるように制御する。これにより、保存されるカラー画像データの２次利用による違法複写を防止することができ、より確実に違法複写を防止することができる。
【０２４７】
なお、本発明の画像形成装置において、特殊原稿判別方法は上記構成に限定されるものではなく、公知のパターンマッチング法を用いるものであってもよい。
【図面の簡単な説明】
【０２４８】
【図１】本発明の第１の実施形態である画像形成装置の構成を示すブロック図である。
【図２】画像形成装置を含むネットワークの構成を示す模式図である。
【図３】目標画像部が含まれる画像データが読取られる原稿を示す平面図である。
【図４】本発明の第１の実施形態である画像形成装置における操作部の構成の一例を示す概略図である。
【図５】目標画像部、特定画像部分、テンプレート、判定ウインドウおよび第１のテーブルデータについて説明するための平面図である。
【図６】目標画像部、特定画像部分、テンプレート、判定ウインドウおよび第１のテーブルデータについて説明するための平面図である。
【図７】第２のテーブルデータについて説明するための平面図である。
【図８】本発明の第１の実施形態である画像形成装置の動作手順の一例を示すフロー図である。
【図９】本発明の第２の実施形態である画像形成装置の動作手順の一例を示すフロー図である。
【図１０】本発明の第３の実施形態である画像形成装置における操作部の構成の一例を示す概略図である。
【図１１】本発明の第３の実施形態である画像形成装置の動作手順の一例を示すフロー図である。
【図１２】本発明の第４の実施形態である画像形成装置の動作手順の一例を示すフロー図である。
【符号の説明】
【０２４９】
１０，２０，３０，４０  画像形成装置
１１  操作部
１２  特殊原稿判定部
１３  画像処理部
１４  カラースキャナ装置
１５  印字部
１６  プリンタ制御部
３０  ネットワーク
３１  デジタルカメラ
３２  パーソナルコンピュータ
３３  ノート型パーソナルコンピュータ
５０  目標画像部
５１  画像データ
５２  原稿
５３  特定画像部分
５４  テンプレート
５５  判定ウインドウ
５６  目標画像部候補
６１，６２，６３，６４，６５，６６  画素ライン
７１，７２，７３，７４  分割部分
【図１】
0004758402.tif 000008
【図２】
0004758402.tif 000009
【図３】
0004758402.tif 000010
【図４】
0004758402.tif 000011
【図５】
0004758402.tif 000012
【図６】
0004758402.tif 000013
【図７】
0004758402.tif 000014
【図８】
0004758402.tif 000015
【図９】
0004758402.tif 000016
【図１０】
0004758402.tif 000017
【図１１】
0004758402.tif 000018
【図１２】
0004758402.tif 000019